(57)【要約】  番組表は、番組の放送予定時刻を表す時間軸と、番組の放送予定日を表すために時間軸に交差するように設けられた日付軸と、日付軸における日付ごとに時間軸に沿って延びるように設けられた複数の番組表示欄とを含む。複数の番組表示欄のいずれかに、番組に関する情報を示す少なくとも１つの番組枠が表示される。操作装置の操作に基づいて、画面上に表示される複数の番組表示欄の領域が時間軸に沿ってそれぞれ移動される。この移動時において、画面上に表示される複数の番組表示欄の領域が各日付の番組表示欄の終了部分と次の日付の番組表示欄の開始部分とを含む場合、各日付の番組表示欄の終了部分と次の日付の番組表示欄の開始部分とが同じ番組表示欄に連続して表示される。
2009037830.tif 000002
【特許請求の範囲】
【請求項１】
放送信号を受信し、受信した放送信号から番組編成情報を抽出する受信部と、
前記受信部により抽出された番組編成情報に基づいて番組表を生成する番組表生成部と、
前記番組表生成部により生成された番組表の少なくとも一部の領域を画面上に表示する表示部と、
前記画面上に表示される番組表の領域を移動させるために使用者により操作される操作装置と、
前記番組表生成部により生成される番組表の少なくとも一部の領域を前記表示部に表示させるために前記番組表生成部を制御する制御部とを備え、
前記番組表は、番組の放送予定時刻を表す時間軸と、番組の放送予定日を表すために前記時間軸に交差するように設けられた日付軸と、前記日付軸における日付ごとに前記時間軸に沿って延びるように設けられた複数の番組表示欄とを含み、前記複数の番組表示欄のいずれかに表示されかつ番組に関する情報を示す少なくとも１つの番組枠を有し、
前記制御部は、前記操作装置の操作に基づいて、画面上に表示される前記複数の番組表示欄の領域が前記時間軸に沿ってそれぞれ移動されるとともに、画面上に表示される前記複数の番組表示欄の領域が各日付の番組表示欄の終了部分と次の日付の番組表示欄の開始部分とを含む場合に各日付の番組表示欄の終了部分と次の日付の番組表示欄の開始部分とが同じ番組表示欄に連続して表示されるように前記番組表生成部を制御する、表示装置。
【請求項２】
前記操作装置は、さらに、１つの番組枠を選択するために使用者により操作され、
前記制御部は、前記操作装置の操作に基づいて選択された番組枠が第１の番組枠として第１の表示形態で表示されるとともに、前記第１の番組枠と予め定められた関係を有する他の番組枠が存在する場合に、前記第１の番組枠と予め定められた関係を有する他の番組枠が第２の番組枠として第２の表示形態で表示されるように前記番組表生成部を制御し、
前記第１および第２の表示形態は、前記第１および第２の番組枠以外の領域の表示形態と異なるように設定される、請求項１記載の表示装置。
【請求項３】
前記予め定められた関係は、前記第２の番組枠の番組が前記第１の番組枠の番組と共通のタイトル名を有するシリーズ番組であることである、請求項２記載の表示装置。
【請求項４】
前記予め定められた関係は、前記第２の番組枠の番組が前記第１の番組枠の番組と共通のジャンルに含まれることである、請求項２記載の表示装置。
【請求項５】
前記番組表は、各番組表示欄内で前記番組枠が存在しない領域に放送予定番組が未確定の期間または番組休止期間を示す空き枠を有し、
前記操作装置は、さらに、１つの番組枠または１つの空き枠を選択するために使用者により操作され、
前記制御部は、少なくとも１つの番組枠を含む最終の日付の番組表示欄の最終の番組枠が選択された状態で、使用者により前記操作装置を用いて後続する空き枠を選択する操作が行われた場合に、直前の日付の番組表示欄の番組枠または空き枠のうち前記最終の番組枠よりも後の時点で開始する番組枠または空き枠が選択されるように、前記番組表生成部を制御する、請求項１記載の表示装置。
【請求項６】
前記番組表は、各番組表示欄内で前記番組枠が存在しない領域に放送予定番組が未確定の期間または番組休止期間を示す空き枠を有し、
前記操作装置は、さらに、１つの番組枠または１つの空き枠を選択枠として選択するために使用者により操作され、
前記制御部は、少なくとも１つの番組枠または空き枠を含む最終の日付の番組表示欄の最終の選択枠が選択された場合に、画面上で番組表を前記日付軸に沿って移動させることにより画面上に番組枠および空き枠を有しない番組表示欄の領域が表示されないように前記番組表生成部を制御する、請求項１記載の表示装置。
【請求項７】
表示部に番組表を表示する表示方法であって、
放送信号を受信し、受信した放送信号から番組編成情報を抽出するステップと、
抽出された番組編成情報に基づいて番組表を生成するステップと、
生成された番組表の少なくとも一部の領域を画面上に表示するステップと、
使用者による操作装置の操作により、前記画面上に表示される番組表の領域を移動させるステップとを備え、
前記番組表は、番組の放送予定時刻を表す時間軸と、番組の放送予定日を表すために前記時間軸に交差するように設けられた日付軸と、前記日付軸における日付ごとに前記時間軸に沿って延びるように設けられた複数の番組表示欄とを含み、前記複数の番組表示欄のいずれかに表示されかつ番組に関する情報を示す少なくとも１つの番組枠を有し、
前記番組表を生成するステップは、
前記操作装置の操作に基づいて、画面上に表示される前記複数の番組表示欄の領域を前記時間軸に沿ってそれぞれ移動させるとともに、画面上に表示される前記複数の番組表示欄の領域が各日付の番組表示欄の終了部分と次の日付の番組表示欄の開始部分とを含む場合に各日付の番組表示欄の終了部分と次の日付の番組表示欄の開始部分とを同じ番組表示欄に連続して表示させるステップを含む、表示方法。
【請求項８】
表示部に番組表を表示するために処理装置により実行可能な表示プログラムであって、
放送信号を受信し、受信した放送信号から番組編成情報を抽出する処理と、
抽出された番組編成情報に基づいて番組表を生成する処理と、
生成された番組表の少なくとも一部の領域を画面上に表示する処理と、
使用者による操作装置の操作により、前記画面上に表示される番組表の領域を移動させる処理とを備え、
前記番組表は、番組の放送予定時刻を表す時間軸と、番組の放送予定日を表すために前記時間軸に交差するように設けられた日付軸と、前記日付軸における日付ごとに前記時間軸に沿って延びるように設けられた複数の番組表示欄とを含み、前記複数の番組表示欄のいずれかに表示されかつ番組に関する情報を示す少なくとも１つの番組枠を有し、
前記番組表を生成する処理は、
前記操作装置の操作に基づいて、画面上に表示される前記複数の番組表示欄の領域を前記時間軸に沿ってそれぞれ移動させるとともに、画面上に表示される前記複数の番組表示欄の領域が各日付の番組表示欄の終了部分と次の日付の番組表示欄の開始部分とを含む場合に各日付の番組表示欄の終了部分と次の日付の番組表示欄の開始部分とを同じ番組表示欄に連続して表示させる処理を前記処理装置に実行させる、表示プログラム。
【発明の詳細な説明】
【技術分野】
【０００１】
番組情報を表示する表示装置、表示方法および表示プログラムに関する。
【背景技術】
【０００２】
放送システムは、放送局から番組の放送信号を送信する送信系としての放送局装置、および放送局装置により送信された放送信号を受信する受信系としての受信装置（例えば、テレビジョン受像機）を含む。【０００３】
デジタル放送システムにおいては、送信系から受信系に送信される放送信号に複数の情報を多重することにより、視聴者の要望に応じた受信系の機能の多様化が図られている。【０００４】
例えば、放送予定番組の情報（番組編成情報）を視聴者に提示するサービスが実用化されている。このサービスによれば、送信系において、番組編成情報が電子番組ガイド（ＥＰＧ： Electric Program Guide ）データとして放送信号に多重され、受信系に送信される。受信系においては、与えられた放送信号からＥＰＧデータが抽出され、放送予定番組の情報が視聴者に提示される。【０００５】
ここで、ＥＰＧデータにおいては、例えば放送予定番組ごとに、「番組名」、「放送開始時刻」、「放送終了時刻」、「チャンネル」および「番組識別子」が関連付けされている。【０００６】
「番組名」は関連付けされている放送予定番組の名称であり、「放送開始時刻」はその放送予定番組の開始予定時刻である。また、「放送終了時刻」はその放送予定番組の終了予定時刻であり、「チャンネル」はその放送予定番組が放映されるチャンネルである。「番組識別子」は、個々の放送予定番組および放送中の番組を識別するためのものである。【０００７】
さらに、ＥＰＧデータには、視聴者が所望の番組を検索等するための情報として、番組のジャンル、番組の説明、番組の出演者、または番組に関連する情報へのリンク情報等が含まれる場合がある。【０００８】
ＥＰＧデータを放送信号に多重することにより、例えばテレビジョン画面に放送予定番組の情報を表示することができる。これにより、視聴者は、例えば表示された放送予定番組の情報に基づいて、所望の放送予定番組を指定し、その番組に関する情報を確認することができる。【０００９】
ところで、放送予定番組の情報を視聴者に提示するサービスの実用化に伴い、デジタル放送システムに使用される番組配列情報標準規格（ＳＴＤ−Ｂ１０）が社団法人電波産業会により策定されている。したがって、現在のデジタル放送システムにおいては、この標準規格に基づいて送信系からＥＰＧデータが送信される。【００１０】
上記の標準規格においては、送信系から受信系に送信されるＥＰＧデータの内容が、その送信時から一定期間分（例えば、送信時から８日分）の放送予定番組に制限される。【００１１】
図１５は、送信時から所定日数分の番組表の一例を示す図である。図１５の番組表においては、縦軸方向に放送時刻が示され、横軸方向に複数のテレビ局（Ａ〜Ｅテレビ）が示されている。これにより、各テレビ局の放送予定番組が経時的に列方向に表示される。この表示形態はラジオ・テレビ欄表示と呼ばれる。【００１２】
図１５においては、空白で示される番組枠に各テレビ局の放送予定番組が対応付けられている。また、ハッチングを施した休止枠には各テレビ局の放送休止時間が対応付けられている。【００１３】
上記のように、ＥＰＧデータの内容には、送信時から一定期間内の放送予定番組についての情報が含まれる。したがって、ＥＰＧデータによれば、図１５に示すような番組表を作成することが可能である。【００１４】
しかしながら、受信装置においては、送信時から一定期間にわたる全ての情報を一度にテレビジョン画面に表示することはできない。そのため、テレビジョン画面には、例えば図１５の太い破線で示すように、ＥＰＧデータにより得られる番組表の一部が表示される。【００１５】
図１６は、従来の受信装置においてテレビジョン画面に表示される番組表の一例を示す図である。図１６に示すように、例えば使用者がリモートコントローラを操作することにより、テレビジョン画面ＴＪに番組表９００が表示される。【００１６】
テレビジョン画面ＴＪの上部には、複数の日付タブ９０１が表示される。日付タブ９０１の下側には、番組表９００の一部としてフォーカス番組表示欄９０２が表示される。フォーカス番組表示欄９０２には、後述するフォーカス番組に関する詳細な情報が表示される。【００１７】
フォーカス番組表示欄９０２のさらに下側には、時刻表示欄９０３、テレビ局表示欄９０４および番組表示欄９０５が表示される。【００１８】
時刻表示欄９０３では、番組の放送予定時刻が縦軸方向に表示される。テレビ局表示欄９０４では、複数のテレビ局名が横軸方向に表示される。番組表示欄９０５では、番組枠および休止枠が時刻表示欄９０３で表示される時刻に沿って表示される。【００１９】
使用者は、リモートコントローラを操作することにより、番組表９００に表示される複数の番組枠および休止枠のうちの一つを選択することができる。これにより、選択された番組枠または休止枠がハイライト表示される。【００２０】
図１６の番組表９００においては、Ａテレビ局の「真実は見えるか」という番組を表す番組枠がハイライト表示されている。なお、図１６の番組表９００においては、ハイライト表示を目の粗い斜線のハッチングにより表す。【００２１】
以下の説明では、上記のように使用者により特定の番組枠または休止枠を選択することが可能な状態をフォーカスと呼ぶ。また、フォーカスにより選択された番組枠に対応付けられた放送予定番組を、フォーカス番組と呼ぶ。【００２２】
使用者は、リモートコントローラを操作することにより、フォーカスを枠毎に移動させることができる。また、使用者は、フォーカスを時間軸方向（縦軸方向）に沿って順次移動させることにより、番組表９００を時間軸に沿ってスクロールさせることができる。【００２３】
上記のように、受信装置のテレビジョン画面に番組表を表示する機能については、使用者の使い勝手等を考慮して様々な機能が提案されている（例えば、特許文献１，２参照）。
【特許文献１】特表平６−５０４１６５号公報
【特許文献２】特開２００６−３１３９４８号公報
【発明の開示】
【発明が解決しようとする課題】
【００２４】
ところで、テレビジョン画面ＴＪに表示される番組表の表示形態の一例として、１のテレビ局のみの放送予定番組の情報を表示する番組表がある。以下、このような形態で表示される番組表を一局番組表と呼ぶ。【００２５】
図１７は、一局番組表の一例を示す図である。図１７の一局番組表においては、縦軸方向に放送予定時刻が示され、横軸方向に放送予定日が示されている。これにより、１日ごとにＡテレビ局の放送予定番組が経時的に列方向に表示される。すなわち、図１７の一局番組表においては、Ａテレビ局のラジオ・テレビ欄が１日ごとに表示されている。【００２６】
図１７においては、空白で示される番組枠にＡテレビ局の放送予定番組が対応付けられている。また、ハッチングを施した休止枠には各テレビ局の放送休止時間が対応付けられている。【００２７】
図１７に示すように、一局番組表においては、例えば１日ごとのラジオ・テレビ欄が、０時または放送休止時間を基準として折り返して表示される。このような一局番組表は、例えばテレビ局のホームページなどで用いられている。【００２８】
ＥＰＧデータを用いることにより、テレビジョン画面ＴＪに一局番組表を表示させることも可能である。テレビジョン画面ＴＪに一局番組表を表示する場合、テレビジョン画面ＴＪには他のテレビ局の番組表が表示されない。これにより、テレビジョン画面ＴＪの限られた表示領域が有効に使用される。【００２９】
テレビジョン画面ＴＪに一局番組表を表示する際には、テレビジョン画面ＴＪの表示領域に限りがあるため、１日分のラジオ・テレビ欄を一度に表示することはできない。したがって、例えば図１７の太い破線で示すように、テレビジョン画面ＴＪには一局番組表の一部が表示される。【００３０】
これにより、使用者がテレビジョン画面ＴＪに表示される一局番組表を閲覧する場合には、例えば朝、昼、晩および深夜の所定の時間帯ごとに一局番組表の表示範囲を切り替える必要がある。または、表示対象となる時間帯を変化させることにより一局番組表の表示範囲をスクロールさせる必要がある。【００３１】
しかしながら、上記のように、一局番組表が所定の時間帯ごとに切り替えられてテレビジョン画面ＴＪに表示されると、切り替えが行われるごとに、一局番組表がテレビジョン画面ＴＪに再描画される。【００３２】
この場合、使用者は再描画が行われるごとに一局番組表の表示対象となる時間帯を再認識しなければならない。また、再描画が行われるごとにテレビジョン画面ＴＪに表示される内容が大きく変化する。これにより、使用者は、一局番組表の内容についても再認識する必要がある。それにより、使用者は、多くの情報を再認識しなければならないので、再認識作業にストレスを感じる。【００３３】
また、一局番組表が所定の時間帯ごとに切り替えられて表示されると、一局番組表の全体がテレビジョン画面ＴＪに再描画される。そのため、再描画のための時間が長くなる。これにより、使用者は一局番組表の表示範囲の切り替えごとにストレスを感じる。【００３４】
一方、一局番組表の表示範囲がスクロールされる場合には、例えば使用者がリモートコントローラを用いてカーソルを移動させることにより、カーソルの移動に応答して一局番組表の表示範囲がスクロールされる。この場合、一局番組表が所定の時間帯ごとに切り替えられて表示される場合に比べて、再描画による内容の変化が少ないので、スクロール時に一局番組表の時間帯および内容を再認識すべき負担が軽減される。【００３５】
しかしながら、上述のように、一局番組表は、１日ごとのラジオ・テレビ欄が０時または放送休止時間を基準として折り返して表示される。そのため、使用者が、一局番組表の表示範囲を０時または放送休止時間をまたぐようにスクロールさせる際には、一局番組表を所定の時間帯ごとに切り替える場合と同様の現象が生じる。【００３６】
具体例を説明する。以下の説明では、一局番組表の１日ごとのラジオ・テレビ欄が０時（２４時）で折り返して作成されるものとする。以下、折り返しが行われる時間を折り返し時間と呼ぶ。【００３７】
例えば、１０月２日０時の直前の番組枠にフォーカスが位置する場合、テレビジョン画面ＴＪには１０月１日の一局番組表が表示される。この状態で、使用者がさらにフォーカスを将来側に移動させても１０月１日の一局番組表には２４時以降の情報が存在しないので、テレビジョン画面ＴＪには１０月２日の０時からの一局番組表が表示される。【００３８】
このように、一局番組表の表示範囲をスクロールさせる場合であっても、一局番組表の折り返し時間をまたぐようにスクロールさせる際には一局番組表の表示範囲が全面的に切り替わる。これにより、使用者は、一局番組表を所定の時間帯ごとに切り替える場合と同様のストレスを感じる。【００３９】
本発明の目的は、使用者がストレスを感じることなく画面上に表示される番組表の情報を確認することができる表示装置、表示方法および表示プログラムを提供することである。
【課題を解決するための手段】
【００４０】
（１）本発明の一局面に従う表示装置は、放送信号を受信し、受信した放送信号から番組編成情報を抽出する受信部と、受信部により抽出された番組編成情報に基づいて番組表を生成する番組表生成部と、番組表生成部により生成された番組表の少なくとも一部の領域を画面上に表示する表示部と、画面上に表示される番組表の領域を移動させるために使用者により操作される操作装置と、番組表生成部により生成される番組表の少なくとも一部の領域を表示部に表示させるために番組表生成部を制御する制御部とを備え、番組表は、番組の放送予定時刻を表す時間軸と、番組の放送予定日を表すために時間軸に交差するように設けられた日付軸と、日付軸における日付ごとに時間軸に沿って延びるように設けられた複数の番組表示欄とを含み、複数の番組表示欄のいずれかに表示されかつ番組に関する情報を示す少なくとも１つの番組枠を有し、制御部は、操作装置の操作に基づいて、画面上に表示される複数の番組表示欄の領域が時間軸に沿ってそれぞれ移動されるとともに、画面上に表示される複数の番組表示欄の領域が各日付の番組表示欄の終了部分と次の日付の番組表示欄の開始部分とを含む場合に各日付の番組表示欄の終了部分と次の日付の番組表示欄の開始部分とが同じ番組表示欄に連続して表示されるように番組表生成部を制御するものである。【００４１】
この表示装置においては、受信部により放送信号が受信され、受信された放送信号から番組編成情報が抽出される。抽出された番組編成情報に基づいて、番組表生成部により番組表が生成される。そして、生成された番組表の少なくとも一部の領域が表示部に表示される。【００４２】
ここで、番組表は、番組の放送予定時刻を表す時間軸と、番組の放送予定日を表すために時間軸に交差するように設けられた日付軸と、日付軸における日付ごとに時間軸に沿って延びるように設けられた複数の番組表示欄とを含む。【００４３】
複数の番組表示欄のいずれかには、番組に関する情報を示す少なくとも１つの番組枠が表示される。これにより、使用者は番組枠により示される番組に関する情報を容易かつ確実に認識することができる。【００４４】
使用者による操作装置の操作に基づいて、画面上に表示される複数の番組表示欄の領域が時間軸に沿ってそれぞれ移動される。これにより、使用者は、操作装置を操作することにより、各日付の所望の時間帯における番組の情報を容易かつ確実に認識することができる。【００４５】
使用者による操作装置の操作時においては、画面上に表示される複数の番組表示欄の領域が各日付の番組表示欄の終了部分と次の日付の番組表示欄の開始部分とを含む場合に、各日付の番組表示欄の終了部分と次の日付の番組表示欄の開始部分とが同じ番組表示欄に連続して表示される。【００４６】
これにより、使用者による操作装置の操作に基づいて、画面上に表示される複数の番組表示欄の領域が連続する日付をまたいで移動される場合でも、各日付の番組表示欄の終了部分と次の日付の番組表示欄の開始部分とが切り替わるように画面上に表示されることが防止される。【００４７】
それにより、画面上に表示される複数の番組表示欄の内容の全てが変更されないので、番組表生成部による番組表の生成時間が短縮され、表示部に表示される番組表の表示時間が短縮される。また、各日付の番組表示欄の終了部分と次の日付の番組表示欄の開始部分とを同時に視認することができるとともに、各日付の番組表示欄の終了部分と次の日付の番組表示欄の開始部分との連続性を視覚的に認識することができる。したがって、使用者は、ストレスを感じることなく画面上に表示される番組表の情報を確認することができる。【００４８】
（２）操作装置は、さらに、１つの番組枠を選択するために使用者により操作され、制御部は、操作装置の操作に基づいて選択された番組枠が第１の番組枠として第１の表示形態で表示されるとともに、第１の番組枠と予め定められた関係を有する他の番組枠が存在する場合に、第１の番組枠と予め定められた関係を有する他の番組枠が第２の番組枠として第２の表示形態で表示されるように番組表生成部を制御し、第１および第２の表示形態は、第１および第２の番組枠以外の領域の表示形態と異なるように設定されてもよい。【００４９】
この場合、使用者による操作装置の操作により、１つの番組枠が選択される。選択された１つの番組枠は、第１の表示形態で表示される。このとき、第１の番組枠と予め定められた関係を有する他の番組枠が存在する場合、他の番組枠が第２の番組枠として第２の表示形態で表示される。また、第１および第２の表示形態は第１および第２の番組枠以外の領域の表示形態と異なる。【００５０】
これにより、使用者は、自己が選択した第１の番組枠の番組を第１の表示形態により視覚的に認識することができるとともに、第１の番組枠の番組と予め定められた関係を有する第２の番組枠の番組を第２の表示形態により視覚的に認識することができる。【００５１】
（３）予め定められた関係は、第２の番組枠の番組が第１の番組枠の番組と共通のタイトル名を有するシリーズ番組であってもよい。【００５２】
この場合、使用者は、第１の番組枠の番組がシリーズ番組であることを視覚的に認識するとともに、第１の番組枠の番組のタイトル名と共通のタイトル名を有するシリーズ番組を第２の番組枠の番組として視覚的に認識することができる。【００５３】
（４）予め定められた関係は、第２の番組枠の番組が第１の番組枠の番組と共通のジャンルに含まれてもよい。【００５４】
この場合、使用者は、第１の番組枠の番組と共通のジャンルに含まれる番組が存在することを視覚的に認識するとともに、第１の番組枠の番組と共通のジャンルに含まれる番組を第２の番組枠の番組として視覚的に認識することができる。【００５５】
（５）番組表は、各番組表示欄内で番組枠が存在しない領域に放送予定番組が未確定の期間または番組休止期間を示す空き枠を有し、操作装置は、さらに、１つの番組枠または１つの空き枠を選択するために使用者により操作され、制御部は、少なくとも１つの番組枠を含む最終の日付の番組表示欄の最終の番組枠が選択された状態で、使用者により操作装置を用いて後続する空き枠を選択する操作が行われた場合に、直前の日付の番組表示欄の番組枠または空き枠のうち上記の最終の番組枠よりも後の時点で開始する番組枠または空き枠が選択されるように、番組表生成部を制御してもよい。【００５６】
この場合、使用者により少なくとも１つの番組枠を含む最終の日付の番組表示欄の最終の番組枠が選択された状態で、使用者により操作装置を用いて後続する空き枠を選択する操作が行われた場合に、直前の日付の番組表示欄の番組枠または空き枠のうち上記の最終の番組枠よりも後の時点で開始する番組枠または空き枠が選択される。【００５７】
これにより、使用者は、少なくとも１つの番組枠を含む最終の日付の番組表示欄の最終の番組枠を選択している状態であっても、操作装置を用いて後続する空き枠を選択する操作を行うことにより、前日の番組表示欄の次の時点の番組枠または空き枠を選択することができる。【００５８】
したがって、使用者は、最終の日付の番組表示欄の最終枠が選択された状態から、前日の番組表示欄の次の時点の番組枠または空き枠を容易に選択することができる。【００５９】
（６）番組表は、各番組表示欄内で番組枠が存在しない領域に放送予定番組が未確定の期間または番組休止期間を示す空き枠を有し、操作装置は、さらに、１つの番組枠または１つの空き枠を選択枠として選択するために使用者により操作され、制御部は、少なくとも１つの番組枠または空き枠を含む最終の日付の番組表示欄の最終の選択枠が選択された場合に、画面上で番組表を日付軸に沿って移動させることにより画面上に番組枠および空き枠を有しない番組表示欄の領域が表示されないように番組表生成部を制御してもよい。【００６０】
この場合、１つの番組枠ならびに放送予定番組が未確定の期間または番組休止期間を示す１つの空き枠のいずれかが、使用者による操作装置の操作により選択枠として選択される。【００６１】
そして、使用者により操作装置を用いて少なくとも１つの番組枠または空き枠を含む最終の日付の番組表示欄の最終の選択枠が選択された場合に、画面上に番組枠および空き枠を有しない番組表示欄の領域が表示されないように、画面上で番組表が日付軸に沿って移動される。【００６２】
これにより、表示部の画面上には、番組枠および空き枠を有しない番組表示欄が表示されないので、表示領域の無駄な消費が防止される。【００６３】
（７）本発明の他の局面に従う表示方法は、表示部に番組表を表示する表示方法であって、放送信号を受信し、受信した放送信号から番組編成情報を抽出するステップと、抽出された番組編成情報に基づいて番組表を生成するステップと、生成された番組表の少なくとも一部の領域を画面上に表示するステップと、使用者による操作装置の操作により、画面上に表示される番組表の領域を移動させるステップとを備え、番組表は、番組の放送予定時刻を表す時間軸と、番組の放送予定日を表すために時間軸に交差するように設けられた日付軸と、日付軸における日付ごとに時間軸に沿って延びるように設けられた複数の番組表示欄とを含み、複数の番組表示欄のいずれかに表示されかつ番組に関する情報を示す少なくとも１つの番組枠を有し、番組表を生成するステップは、操作装置の操作に基づいて、画面上に表示される複数の番組表示欄の領域を時間軸に沿ってそれぞれ移動させるとともに、画面上に表示される複数の番組表示欄の領域が各日付の番組表示欄の終了部分と次の日付の番組表示欄の開始部分とを含む場合に各日付の番組表示欄の終了部分と次の日付の番組表示欄の開始部分とを同じ番組表示欄に連続して表示させるステップを含むものである。【００６４】
この表示方法においては、放送信号が受信され、受信された放送信号から番組編成情報が抽出される。抽出された番組編成情報に基づいて、番組表が生成される。そして、生成された番組表の少なくとも一部の領域が表示部に表示される。【００６５】
ここで、番組表は、番組の放送予定時刻を表す時間軸と、番組の放送予定日を表すために時間軸に交差するように設けられた日付軸と、日付軸における日付ごとに時間軸に沿って延びるように設けられた複数の番組表示欄とを含む。【００６６】
複数の番組表示欄のいずれかには、番組に関する情報を示す少なくとも１つの番組枠が表示される。これにより、使用者は番組枠により示される番組に関する情報を容易かつ確実に認識することができる。【００６７】
使用者による操作装置の操作に基づいて、画面上に表示される複数の番組表示欄の領域が時間軸に沿ってそれぞれ移動される。これにより、使用者は、操作装置を操作することにより、各日付の所望の時間帯における番組の情報を容易かつ確実に認識することができる。【００６８】
使用者による操作装置の操作時においては、画面上に表示される複数の番組表示欄の領域が各日付の番組表示欄の終了部分と次の日付の番組表示欄の開始部分とを含む場合に、各日付の番組表示欄の終了部分と次の日付の番組表示欄の開始部分とが同じ番組表示欄に連続して表示される。【００６９】
これにより、使用者による操作装置の操作に基づいて、画面上に表示される複数の番組表示欄の領域が連続する日付をまたいで移動される場合でも、各日付の番組表示欄の終了部分と次の日付の番組表示欄の開始部分とが切り替わるように画面上に表示されることが防止される。【００７０】
それにより、画面上に表示される複数の番組表示欄の内容の全てが変更されないので、番組表の生成時間が短縮され、表示部に表示される番組表の表示時間が短縮される。また、各日付の番組表示欄の終了部分と次の日付の番組表示欄の開始部分とを同時に視認することができるとともに、各日付の番組表示欄の終了部分と次の日付の番組表示欄の開始部分との連続性を視覚的に認識することができる。したがって、使用者は、ストレスを感じることなく画面上に表示される番組表の情報を確認することができる。【００７１】
（８）本発明のさらに他の局面に従う表示プログラムは、表示部に番組表を表示するために処理装置により実行可能な表示プログラムであって、放送信号を受信し、受信した放送信号から番組編成情報を抽出する処理と、抽出された番組編成情報に基づいて番組表を生成する処理と、生成された番組表の少なくとも一部の領域を画面上に表示する処理と、使用者による操作装置の操作により、画面上に表示される番組表の領域を移動させる処理とを備え、番組表は、番組の放送予定時刻を表す時間軸と、番組の放送予定日を表すために時間軸に交差するように設けられた日付軸と、日付軸における日付ごとに時間軸に沿って延びるように設けられた複数の番組表示欄とを含み、複数の番組表示欄のいずれかに表示されかつ番組に関する情報を示す少なくとも１つの番組枠を有し、番組表を生成する処理は、操作装置の操作に基づいて、画面上に表示される複数の番組表示欄の領域を時間軸に沿ってそれぞれ移動させるとともに、画面上に表示される複数の番組表示欄の領域が各日付の番組表示欄の終了部分と次の日付の番組表示欄の開始部分とを含む場合に各日付の番組表示欄の終了部分と次の日付の番組表示欄の開始部分とを同じ番組表示欄に連続して表示させる処理を処理装置に実行させるものである。【００７２】
この表示プログラムにおいては、放送信号が受信され、受信された放送信号から番組編成情報が抽出される。抽出された番組編成情報に基づいて、番組表が生成される。そして、生成された番組表の少なくとも一部の領域が表示部に表示される。【００７３】
ここで、番組表は、番組の放送予定時刻を表す時間軸と、番組の放送予定日を表すために時間軸に交差するように設けられた日付軸と、日付軸における日付ごとに時間軸に沿って延びるように設けられた複数の番組表示欄とを含む。【００７４】
複数の番組表示欄のいずれかには、番組に関する情報を示す少なくとも１つの番組枠が表示される。これにより、使用者は番組枠により示される番組に関する情報を容易かつ確実に認識することができる。【００７５】
使用者による操作装置の操作に基づいて、画面上に表示される複数の番組表示欄の領域が時間軸に沿ってそれぞれ移動される。これにより、使用者は、操作装置を操作することにより、各日付の所望の時間帯における番組の情報を容易かつ確実に認識することができる。【００７６】
使用者による操作装置の操作時においては、画面上に表示される複数の番組表示欄の領域が各日付の番組表示欄の終了部分と次の日付の番組表示欄の開始部分とを含む場合に、各日付の番組表示欄の終了部分と次の日付の番組表示欄の開始部分とが同じ番組表示欄に連続して表示される。【００７７】
これにより、使用者による操作装置の操作に基づいて、画面上に表示される複数の番組表示欄の領域が連続する日付をまたいで移動される場合でも、各日付の番組表示欄の終了部分と次の日付の番組表示欄の開始部分とが切り替わるように画面上に表示されることが防止される。【００７８】
それにより、画面上に表示される複数の番組表示欄の内容の全てが変更されないので、番組表の生成時間が短縮され、表示部に表示される番組表の表示時間が短縮される。また、各日付の番組表示欄の終了部分と次の日付の番組表示欄の開始部分とを同時に視認することができるとともに、各日付の番組表示欄の終了部分と次の日付の番組表示欄の開始部分との連続性を視覚的に認識することができる。したがって、使用者は、ストレスを感じることなく画面上に表示される番組表の情報を確認することができる。
【発明の効果】
【００７９】
本発明に係る表示装置、表示方法および表示プログラムによれば、使用者は、ストレスを感じることなく画面上に表示される番組表の情報を確認することができる。
【図面の簡単な説明】
【００８０】
【図１】図１は本発明の一実施の形態に係る表示装置の構成を示すブロック図
【図２】図２は図１の入力装置を示す模式図
【図３】図３は図１の表示装置において表示部に表示される一局番組表の一表示例を示す図
【図４】図４はテレビジョン画面ＴＪに表示される一局番組表のスクロール動作の概念を説明するための図
【図５】図５は第１のフォーカス移動例を説明するための図
【図６】図６は第１のフォーカス移動例を説明するための図
【図７】図７は第２のフォーカス移動例を説明するための図
【図８】図８は第２のフォーカス移動例を説明するための図
【図９】図９は一局番組表の横軸方向へのスクロール動作の一例を説明するための図
【図１０】図１０は一局番組表の横軸方向へのスクロール動作の一例を説明するための図
【図１１】図１１は一局番組表表示プログラムのフローチャート
【図１２】図１２は第１のフォーカス移動プログラムを示すフローチャート
【図１３】図１３は第２のフォーカス移動プログラムを示すフローチャート
【図１４】図１４はスクロールプログラムを示すフローチャート
【図１５】図１５は送信時から所定日数分の番組表の一例を示す図
【図１６】図１６は従来の受信装置においてテレビジョン画面に表示される番組表の一例を示す図
【図１７】図１７は一局番組表の一例を示す図
【発明を実施するための最良の形態】
【００８１】
本発明の一実施の形態に係る表示装置、表示方法および表示プログラムについて、図面を参照しつつ説明する。【００８２】
本実施の形態において、表示装置は放送局から送信される番組の放送信号を受信するテレビジョン受像機である。【００８３】
また、本実施の形態においては、放送予定番組の情報（番組編成情報）が、電子番組ガイド（ＥＰＧ： Electric Program Guide ）データとして放送信号に多重され、放送局から表示装置に送信される。【００８４】
ここで、番組編成情報とは、複数の番組情報から構成される情報である。また、番組情報とは、各放送予定番組に関する情報であり、少なくとも放送局および放送予定日時を含むものである。なお、本実施の形態では、番組情報には、視聴者が所望の番組を検索等するための情報として、番組のジャンル、番組の説明、番組の出演者、または番組に関連する情報へのリンク情報等が含まれる。【００８５】
本実施の形態に係る表示装置においては、上記のＥＰＧデータに基づいて、１のテレビ局のみの放送予定番組の情報を示す番組表が表示される。以下、このような形態で表示される番組表を一局番組表と呼ぶ。【００８６】
デジタル放送システムに使用される番組配列情報標準規格（ＳＴＤ−Ｂ１０）においては、送信系から受信系に送信されるＥＰＧデータの内容がその送信時から８日分の放送予定番組に制限されるが、本実施の形態においては、ＥＰＧデータに送信時から１５日分の放送予定番組の情報が含まれる。【００８７】
（１）表示装置の構成
図１は、本発明の一実施の形態に係る表示装置の構成を示すブロック図である。図１に示すように、表示装置１００は、受信アンテナ１０１、放送受信部１０２、番組再生部１０３、番組情報蓄積部１０４、入力装置１０５、制御部１０６、描画部１０７、表示合成部１０８および表示部１０９を備える。なお、図１においては、表示装置１００の本体部分が点線で示されている。【００８８】
受信アンテナ１０１は、放送電波を受信して、電気信号に変換する。これにより、放送局装置２０から受信された放送電波が、電気信号形式で放送受信部１０２に与えられる。なお、本実施の形態において、受信アンテナ１０１は、一般的なテレビジョン受像機に用いられるテレビ放送用の受信アンテナである。また、テレビ放送は、地上デジタル放送および衛星デジタル放送を含む。【００８９】
放送受信部１０２は、図示しない高周波チューナ部およびトランスポートストリーム（以下、ＴＳと略記する）デコーダを含む。これにより、放送受信部１０２においては、高周波チューナ部が、受信アンテナ１０１により受信された放送電波の周波数を選択することにより選局を行う。それにより、選局された放送信号がＴＳデコーダに与えられる。【００９０】
放送受信部１０２のＴＳデコーダは、高周波チューナ部から与えられた放送信号をデコードし、ＥＰＧデータ、映像データおよび音声データのパケットを抽出する。これにより、特定の放送局から放送された番組の映像データおよび音声データのパケットが番組再生部１０３に与えられる。また、ＥＰＧデータのパケットが番組情報蓄積部１０４に与えられる。【００９１】
番組再生部１０３は、放送受信部１０２から与えられる映像データおよび音声データを再生する。本実施の形態において、番組再生部１０３は例えばＭＰＥＧ（ Motion Picture Experts Group ）デコーダである。【００９２】
番組再生部１０３により再生された映像データは表示合成部１０８に与えられる。一方、音声データは図示しない音声データ変換部に与えられ、デジタル形式からアナログ形式に変換される。アナログ形式に変換された音声データは図示しない音声出力部により出力される。【００９３】
上述のように、放送局装置２０から表示装置１００に送信される放送信号には、ＥＰＧデータが多重されている。番組情報蓄積部１０４は、放送受信部１０２から与えられるＥＰＧデータを蓄積する。また、番組情報蓄積部１０４は、制御部１０６から与えられる指令信号に応じて、蓄積したＥＰＧデータを描画部１０７に与える。【００９４】
入力装置１０５は、使用者により操作される。本実施の形態において、入力装置１０５はリモートコントローラである。したがって、表示装置１００の本体部には、リモートコントローラから送信される信号を受信する図示しない受信部が設けられる。リモートコントローラの詳細は後述する。【００９５】
なお、入力装置１０５としては、リモートコントローラの他、キーボード、ポインティングデバイス、音声認識装置、画像認識装置またはそれらを組み合わせたものを用いることもできる。【００９６】
制御部１０６は、例えばＣＰＵ（中央演算処理装置）および記憶装置１０６ｍからなる。記憶装置１０６ｍには、後述の一局番組表表示プログラム、第１のフォーカス移動プログラム、第２のフォーカス移動プログラムおよびスクロールプログラムが記憶される。これにより、制御部１０６は、記憶装置１０６ｍに記憶された各プログラムに基づいて、表示装置１００の各構成部の動作を制御する。【００９７】
また、制御部１０６は、使用者との対話を管理する。使用者との対話は、ＯＳＤ（ On Screen Display ）を用いたＧＵＩ（ Guraphic User Interface ）により実現される。【００９８】
描画部１０７は、番組情報蓄積部１０４から与えられるＥＰＧデータに基づいて、ＯＳＤ用のグラフィックのイメージを生成する。生成されたイメージは、表示合成部１０８に与えられる。【００９９】
表示合成部１０８は、番組再生部１０３から与えられる映像データと描画部１０７から与えられるイメージとを合成し、合成した映像のデータを表示部１０９に出力する。これにより、表示部１０９に番組の映像およびＯＳＤが表示される。【０１００】
表示部１０９は、例えばプラズマディスプレイパネル、液晶ディスプレイパネルまたは有機エレクトロルミネッセンスパネル等で構成される。【０１０１】
（２）入力装置
図２は、図１の入力装置１０５を示す模式図である。【０１０２】
図２に示すように、入力装置１０５には、電源ボタンＰＷ、一局番組表ボタンＧＰ、右ボタンＡＲ、左ボタンＡＬ、上ボタンＡＵ、下ボタンＡＤおよびチャンネルボタンＣＫ等が設けられる。【０１０３】
電源ボタンＰＷは、表示装置１００の電源をオン／オフするために、使用者により操作される。一局番組表ボタンＧＰは、図１の表示部１０９にＥＰＧデータに基づく一局番組表を表示させるために、使用者により操作される。【０１０４】
右ボタンＡＲ、左ボタンＡＬ、上ボタンＡＵ、下ボタンＡＤは、表示部１０９に一局番組表が表示される場合に一局番組表内のフォーカスを移動させるために、使用者により操作される。フォーカスの詳細は後述する。【０１０５】
チャンネルボタンＣＫは、複数のボタンを含む。各ボタンには、互いに異なるチャンネルが割り当てられている。使用者がいずれかのボタンを押下操作することにより、そのボタンに割り当てられたチャンネルの番組が表示部１０９に表示される。【０１０６】
以下の説明では、必要に応じて右ボタンＡＲ、左ボタンＡＬ、上ボタンＡＵおよび下ボタンＡＤをカーソルボタンと総称する。【０１０７】
（３）一局番組表表示例
例えば、使用者がＡテレビ局の番組を視聴している際に図２の一局番組表ボタンＧＰを押下操作する。これにより、図１の表示部１０９のテレビジョン画面ＴＪにＡテレビ局についての一局番組表が表示される。【０１０８】
図３は、図１の表示装置１００において表示部１０９に表示される一局番組表の一表示例を示す図である。【０１０９】
テレビジョン画面ＴＪの上部には、フォーカス番組表示欄２０２が表示されている。フォーカス番組表示欄２０２には、後述するフォーカス番組に関する詳細な情報が表示されている。【０１１０】
フォーカス番組表示欄２０２の下部には、時刻表示欄２０３、日付表示欄２０４および番組表示欄２０５が表示されている。【０１１１】
時刻表示欄２０３には、放送予定時刻が縦軸方向に表示される。図３の例では、時刻表示欄２０３に２０時台から２３時台までの放送予定時刻が示されている。【０１１２】
日付表示欄２０４には、放送予定日が横軸方向に表示される。図３の例では、１０月８日、１０月９日および１０月１０日の日付が、曜日とともにこの順で横軸方向に並んでいる。【０１１３】
本実施の形態において、番組表示欄２０５には、後述する番組枠、休止枠および未確定枠のいずれかが時刻表示欄２０３で表示される時刻に沿って表示される。この番組表示欄２０５は、いわゆるラジオ・テレビ欄である。【０１１４】
番組枠には、Ａテレビ局で編成が確定した放送予定番組のうち時刻表示欄２０３に表示される時間内の放送予定番組が対応付けられる。休止枠には、各テレビ局の放送休止時間が対応付けられる。未確定枠には、放送予定番組の編成が確定していない時間が対応付けられる。【０１１５】
なお、図３では、番組枠および休止枠が矩形で示されている。また、図３では、各放送予定日の２２時３０分から２４時までの休止枠に濃いハッチングが施されている。【０１１６】
使用者は、図２の入力装置１０５を操作することにより、一局番組表２００に表示される複数の枠のうちの一つを選択することができる。これにより、選択された枠がハイライト表示される。【０１１７】
図３の一局番組表２００においては、Ａテレビ局の「真実は見えるか」という番組の番組枠ｆ１がハイライト表示されている。なお、図３の一局番組表２００においては、ハイライト表示が目の粗い斜線のハッチングにより示されている。【０１１８】
以下の説明では、上記のように使用者により特定の枠を選択することが可能な状態をフォーカスと呼ぶ。また、フォーカスにより選択された番組枠に対応付けされた放送予定番組を、フォーカス番組と呼ぶ。【０１１９】
これにより、図３では、１０月８日２０時に放送が予定された「ニュース８」という番組がフォーカス番組となる。それにより、上述のフォーカス番組表示欄２０２には、「ニュース８」という番組に関する詳細な情報が表示される。詳細な情報としては、当該番組のテレビ局、放送開始時刻、放送終了時刻、番組名、内容、出演者等が表示される。【０１２０】
（４）一局番組表のスクロール動作の概念
使用者は、図２の入力装置１０５のカーソルボタンを操作することにより、フォーカスを枠毎に移動させることができる。また、使用者は、フォーカスを時間軸方向（縦軸方向）に沿って順次移動させることにより一局番組表２００を時間軸（縦軸）に沿ってスクロールさせることができる。さらに、使用者は、フォーカスを日付方向（横軸方向）に沿って順次移動させることにより一局番組表２００を日付（横軸）に沿ってスクロールさせることができる。【０１２１】
図４は、テレビジョン画面ＴＪに表示される一局番組表２００のスクロール動作の概念を説明するための図である。【０１２２】
本実施の形態に係る表示装置１００においては、表示部１０９に表示するための一局番組表２００が、概念上図４に示すように生成される。図４では、Ａテレビ局の１０月８日から１０月１１日までの一局番組表ＡＴが螺旋状に延びる帯により示されている。この一局番組表ＡＴにおいては、帯が周方向に一周するごとに放送予定日が進行する。各放送予定日に対応する帯の部分では、周方向に０時から２４時までの放送予定時刻が対応付けられている。【０１２３】
このように、図４では、一局番組表ＡＴが、放送予定日ごとに折り返されることなく帯状に示されている。これにより、各放送予定日に対応する帯の連結部（各日付の始端と終端の連結部分）に時間的な間隙が存在しない。すなわち、各放送予定日の間で、一局番組表ＡＴに継ぎ目が存在しない。【０１２４】
ここで、図４において、太い破線により示された領域をテレビジョン画面ＴＪの表示対象領域Ｒとする。この場合、図３の一局番組表２００が時間軸方向にスクロールされると、図４では表示対象領域Ｒが矢印ｓ１の方向（周方向）に移動するように示される。【０１２５】
例えば、図３で示される一局番組表２００は表示対象となる時間帯が２０時台から２３時台に設定され、放送予定日が１０月８日から１０月１０日に設定されている場合を想定する。【０１２６】
この状態で、使用者が図１の入力装置１０５を操作することにより、一局番組表２００の表示範囲が時間軸方向（縦軸方向）にスクロールされると、図４では表示対象領域Ｒが周方向に移動するように示される。【０１２７】
この場合、図４に示すように、各放送予定日に対応する部分の連結部には時間的な間隙が存在しないので、表示対象領域Ｒは周方向に沿って円滑に移動してゆく。したがって、図３のテレビジョン画面ＴＪにおいては、一局番組表２００が円滑にスクロールされる。【０１２８】
すなわち、図３の一局番組表２００の時間軸方向へのスクロール時には、日付をまたぐようなスクロールが行われる場合でも、一局番組表２００に表示される情報の内容が全面的に大きく変化することが防止される。【０１２９】
なお、使用者が図１の入力装置１０５を操作することにより、一局番組表２００の表示範囲が日付方向（横軸方向）にスクロールされると、図４では表示対象領域Ｒが横軸方向に移動するように示される。この場合、一局番組表２００に表示される情報の内容が一日分変化する。それにより、使用者は、スクロールにより新たに表示された一局番組表２００を確認することができる。【０１３０】
上記のように、本実施の形態に係る表示装置１００においては、一局番組表２００が日付をまたいで時間軸方向にスクロールされても、放送予定日の切り替わりに伴って一局番組表２００の表示内容が全面的に切り替わることが防止される。したがって、使用者は、ストレスを感じることなく一局番組表２００の表示範囲を縦軸方向にスクロールさせることができる。【０１３１】
（５）第１のフォーカス移動例
フォーカス移動時における一局番組表２００の表示状態について、第１のフォーカス移動例を図３、図５および図６を参照しつつ説明する。図５および図６は、第１のフォーカス移動例を説明するための図である。【０１３２】
例えば、図３の一局番組表２００で示すように、１０月８日の「ニュース８」という番組の番組枠ｆ１にフォーカスが位置する状態で、使用者が図２の下ボタンＡＤを押下操作した場合を想定する。【０１３３】
この場合、図５に示すように、１０月８日の「ニュース８」という番組の番組枠ｆ１が、ハイライトの表示状態から通常の表示状態に変化する。そして、当該番組枠ｆ１の下側に位置する「真実は見えるか」という番組の番組枠ｆ２がハイライト表示される。【０１３４】
すなわち、使用者により下ボタンＡＤが押下操作されることにより、フォーカスが番組枠ｆ１から番組枠ｆ１よりも将来側に表示された番組枠ｆ２へ移動する。これにより、フォーカス番組表示欄２０２には、「真実は見えるか」という番組に関する詳細な情報が表示される。【０１３５】
本例では、フォーカス番組表示欄２０２に、「真実は見えるか」を放送するＡテレビ局、放送開始時刻「１０月８日２１時３０分」、放送終了時刻「１０月８日２２時３０分」、番組名である「真実は見えるか」が表示されている。【０１３６】
ここで、番組枠ｆ２に対応付けられた「真実は見えるか」という番組は、毎日同じ時刻で放送が予定されたシリーズ番組である。そのため、１０月９日および１０月１０日の番組表示欄２０５においても、「真実は見えるか」という番組の番組枠ｆ３，ｆ４が表示されている。【０１３７】
なお、本実施の形態において、シリーズ番組とは、上記のように所定の周期で同じ時刻に放送が予定された番組の他、共通のタイトル名を有する番組等の共通の情報が割り当てられた番組をいう。【０１３８】
本例では、フォーカスが移動することにより１０月８日の番組枠ｆ２がハイライト表示されるとともに、１０月９日および１０月１０日の番組枠ｆ３，ｆ４もハイライト表示される。【０１３９】
これにより、使用者は、現在フォーカスが位置する番組枠ｆ２の放送予定番組がシリーズ番組であることを容易に認識できる。また、他の日に放送されるシリーズ番組の番組枠ｆ３，ｆ４がハイライト表示されるので、フォーカスが位置する番組枠ｆ２のシリーズ番組が、何日に放送されるかを容易に認識することができる。【０１４０】
このように、所定の関係を有する放送予定番組の番組枠として、複数の番組枠ｆ２，ｆ３，ｆ４がハイライト表示される状態をグループフォーカスと呼ぶ。【０１４１】
なお、図５の太い破線で示すように、グループフォーカスによりハイライト表示される番組枠ｆ２，ｆ３，ｆ４が互いに隣接する場合、それらの番組枠ｆ２，ｆ３，ｆ４を取り囲むような線が表示されてもよい。【０１４２】
本実施の形態においては、グループフォーカスにより特定された複数の番組枠のうち、使用者により選択されたフォーカス番組とフォーカス番組以外のシリーズ番組とを容易に識別できるように、以下の表示方法を用いることもできる。【０１４３】
以下の説明では、グループフォーカスにより特定された複数の番組枠のうち、使用者によりフォーカスが移動された箇所の番組枠（フォーカス番組の番組枠）ｆ２を主フォーカス番組枠ｆ２と呼び、フォーカス番組以外のシリーズ番組の番組枠ｆ３，ｆ４を従属フォーカス番組枠と呼ぶ。【０１４４】
グループフォーカスにおいては、主フォーカス番組枠ｆ２と従属フォーカス番組枠ｆ３，ｆ４との間で発光輝度に差を設けてもよい。【０１４５】
図５では、主フォーカス番組枠ｆ２が高い輝度でハイライト表示されていることを示すために、主フォーカス番組枠ｆ２に目の粗い斜線のハッチングが施されている。一方、従属フォーカス番組枠ｆ３，ｆ４が低い輝度でハイライト表示されていることを示すために、従属フォーカス番組枠ｆ３，ｆ４に薄いハッチングが施されている。これにより、使用者は、フォーカス番組とフォーカス番組以外のシリーズ番組とを容易かつ確実に識別することができる。【０１４６】
本例では、クループフォーカスをハイライト表示で示す例を説明したが、ハイライト表示に代えて、主フォーカス番組枠ｆ２および従属フォーカス番組枠ｆ３，ｆ４に、それぞれ彩度が異なる背景色を設定してもよい。【０１４７】
また、主フォーカス番組枠ｆ２に表示される文字列のフォント色と従属フォーカス番組枠ｆ３，ｆ４に表示される文字列のフォント色とに差を設けてもよい。さらに、主フォーカス番組枠ｆ２および従属フォーカス番組枠ｆ３，ｆ４のいずれか一方の発光輝度を経時的に変化させてもよい。【０１４８】
続いて、図６の一局番組表２００で示すように、「真実は見えるか」という番組の番組枠ｆ２にフォーカスが位置する状態で、さらに使用者が図２の下ボタンＡＤを連続して押下操作した場合を想定する。【０１４９】
図５の一局番組表２００においては、フォーカスが位置する番組枠ｆ２の下側に休止枠が表示されている。これにより、フォーカスは、休止枠に移動する。それにより、フォーカスが番組表示欄２０５の下端に位置する。【０１５０】
そのため、使用者により再度下ボタンＡＤが押下操作されることにより、図６に示すように、一局番組表２００が将来側に所定時間分スクロールされる。【０１５１】
本例では、一局番組表２００が将来側に１時間分スクロールされる。これにより、時刻表示欄２０３には２１時台から０時（２４時）台までの放送予定時刻が示される。【０１５２】
上記のように一局番組表２００が将来側に１時間スクロールされると、「おっさん刑事」という番組が、時刻表示欄２０３に表示される時間内の放送予定番組となる。【０１５３】
これにより、図６に示すように、一局番組表２００においては、「おっさん刑事」という番組の番組枠ｆ５にフォーカスが移動する。【０１５４】
上記のように、使用者は、図２の入力装置１０５のカーソルボタンを押下操作することにより、一局番組表２００をスクロールし、所望の番組枠にフォーカスを移動させることができる。【０１５５】
そして、一局番組表において本来日付ごとに折り返しが行われるべき時間をまたぐようにスクロールが行われる場合でも、テレビジョン画面ＴＪに表示される一局番組表２００の表示内容が全面的に切り替わることが防止される。それにより、使用者は、ストレスを感じることなく一局番組表２００を閲覧することができる。また、スクロール時に一局番組表２００の描画時間が長時間化することが防止される。【０１５６】
上記では、フォーカスを時間軸方向（縦軸方向）に移動させる場合の例を説明したが、使用者は、図２の右ボタンＡＲおよび左ボタンＡＬを押下操作することによりフォーカスを横軸方向（日付方向）に移動させることもできる。【０１５７】
この場合、テレビジョン画面ＴＪ上では、１日分の番組表示欄２０５の内容が変化する。したがって、一局番組表２００の表示内容が全面的に切り替わることがないので、使用者はストレスを感じることなく一局番組表２００を閲覧することができる。【０１５８】
上記のフォーカス移動は、図１の制御部１０６が後述する第１のフォーカス移動プログラムを実行することにより行われる。【０１５９】
（６）第２のフォーカス移動例
フォーカス移動時における一局番組表２００の表示状態について、第２のフォーカス移動例を図７および図８を参照しつつ説明する。図７および図８は、第２のフォーカス移動例を説明するための図である。【０１６０】
本例においては、ＥＰＧデータに１０月１日から１０月１５日までの１５日分の放送予定番組の情報が含まれるものとする。この場合、図１の表示部１０９には、１０月１５日２４時までの一局番組表２００が表示可能である。【０１６１】
図７においては、テレビジョン画面ＴＪに１０月１４日および１０月１５日の放送予定番組を示す一局番組表２００が表示されている。【０１６２】
本実施の形態に係る表示装置１００においては、テレビジョン画面ＴＪに３日分の番組表示欄２０５が表示可能である。したがって、図７の例では、１つの番組表示欄２０５に放送予定番組に関する情報が表示されていない。【０１６３】
図７に示すように、例えばフォーカスが１０月１５日の最後の放送予定番組の番組枠ｆ６に位置する場合、使用者が図２の下ボタンＡＤをさらに押下操作しても１０月１６日の番組編成情報が存在しないので、フォーカスを移動させるべきではないと考えられる。【０１６４】
番組編成情報が存在しない時間帯に、フォーカスを移動させても使用者は有益な情報を得ることができず、番組編成情報が存在する時間帯にフォーカスを戻す手間が生じるためである。【０１６５】
しかしながら、本例では、フォーカスが番組枠ｆ６に位置するときに、使用者が図２の下ボタンＡＤを押下操作することにより、図８に示すように一局番組表２００が将来側に１時間分スクロールされる。【０１６６】
これにより、一局番組表２００の表示対象となる時間帯が０時から４時に変更され、日付表示欄２０４の表示も変更される。それにより、３つの番組表示欄２０５のうち中央の番組表示欄２０５では、放送予定番組に関する情報が表示されなくなる。そして、図７において中央の番組表示欄２０５の番組枠ｆ６に位置していたフォーカスが、スクロール後に左側の番組表示欄２０５に表示された番組枠ｆ７に移動する。【０１６７】
このように、本例では、使用者が図２の下ボタンＡＤを押下操作したにもかかわらず、フォーカスが斜め下方に表示された番組枠に移動する。このようなフォーカスの移動は使用者の意図に反すると考えられる。【０１６８】
しかしながら、使用者は、必ずしもフォーカスの移動のみを目的として図２の下ボタンＡＤを押下操作するわけではない。使用者は一局番組表２００をスクロールさせるために、フォーカスを移動させる場合がある。【０１６９】
そのため、フォーカスが最終の番組枠ｆ６に位置するときに下ボタンＡＤの押下操作が無効にされると、使用者は、下ボタンＡＤを押下操作しているにもかかわらずスクロールが行われないので、違和感を感じる場合がある。【０１７０】
そこで、本例では、使用者が感じる違和感を解消するために上記のようなフォーカス移動が行われる。このフォーカス移動は、図１の制御部１０６が後述する第２のフォーカス移動プログラムを実行することにより行われる。【０１７１】
（７）一局番組表のスクロール例
一局番組表２００のスクロール例について、図９および図１０を参照しつつ説明する。図９および図１０は、一局番組表２００の横軸方向へのスクロール動作の一例を説明するための図である。【０１７２】
本例においても、第２のフォーカス移動例と同様に、ＥＰＧデータに１０月１日から１０月１５日までの１５日分の放送予定番組の情報が含まれるものとする。この場合、図１の表示部１０９には、１０月１５日２４時までの一局番組表２００が表示可能である。【０１７３】
上述のように、使用者は、図２の下ボタンＡＤを押下操作することにより一局番組表２００を時間軸方向（縦軸方向）にスクロールさせることができる。【０１７４】
一局番組表２００は、時間軸方向に２４時間分のスクロールが行われるごとに、日付方向（横軸方向）にスクロールされる。これにより、例えば使用者が図２の下ボタンＡＤを押下操作することにより、図９に示すように、３つの番組表示欄２０５のうち１つの番組表示欄２０５で放送予定番組に関する情報が表示されない場合がある。以下の説明では、全く情報が表示されない番組表示欄２０５を空き番組表示欄２０５と呼ぶ。【０１７５】
空き番組表示欄２０５においては、その空き番組表示欄２０５に対応する日付の番組編成情報がないので、番組枠のみならず、休止枠および未確定枠も表示されない。【０１７６】
本例では、使用者による下ボタンＡＤの押下操作により、空き番組表示欄２０５が発生した場合、発生した空き番組表示欄２０５がなくなるように一局番組表２００が日付方向にスクロールされる。【０１７７】
例えば、図９の番組枠ｆ８にフォーカスが移動することにより、空き番組表示欄２０５が発生すると、図１０に示すように一局番組表２００が１日分日付方向にスクロールされる。これにより、テレビジョン画面ＴＪにおいては、無駄な表示領域の消費が防止される。【０１７８】
上記のスクロールは、図１の制御部１０６が後述するスクロールプログラムを実行することにより行われる。【０１７９】
（８）一局番組表表示プログラム
図１の表示装置１００が一局番組表２００を表示するための一局番組表表示プログラムについて説明する。図１１は、一局番組表表示プログラムのフローチャートである。上述のように、本プログラムは、図１の記憶装置１０６ｍに記憶される。【０１８０】
初めに、図１の制御部１０６は、使用者による入力装置１０５の操作により、外部から一局番組表２００を表示させる旨の指令を受けたか否かを判別する（ステップＳ１１０）。【０１８１】
制御部１０６は、指令を受けることにより、現在選局されているチャンネルを認識するとともに内蔵された計時手段を用いて現在時刻を取得し、表示対象となるテレビ局および表示対象となる時間帯を決定する（ステップＳ１１１）。そして、制御部１０６は、表示対象となるテレビ局について、表示対象となる時間帯の放送予定番組の情報を時刻順にＥＰＧデータから抽出する（ステップＳ１１２）。【０１８２】
次に、制御部１０６は、抽出した放送予定番組の番組枠をテレビジョン画面ＴＪに描画する（ステップＳ１１３）。【０１８３】
続いて、制御部１０６は、表示対象となる時間帯の全ての放送予定番組が抽出されたか否かを判別する（ステップＳ１１４）。【０１８４】
表示対象となる全ての放送予定番組が抽出されることにより、制御部１０６は一局番組表２００の表示動作を終了する。一方、表示対象となる全ての放送予定番組が抽出されていない場合、制御部１０６は上記ステップＳ１１２の動作を行う。【０１８５】
なお、上記では説明を省略したが、放送予定番組が存在しない時間帯および放送予定番組の編成が確定していない時間帯については、番組表示欄２０５に休止枠および未確定枠が描画される。【０１８６】
（９）第１のフォーカス移動プログラム
第１のフォーカス移動プログラムについて説明する。図１２は、第１のフォーカス移動プログラムを示すフローチャートである。上述のように、本プログラムは、図１の記憶装置１０６ｍに記憶される。本例では、移動前のフォーカスは番組枠に位置するものとする。【０１８７】
初めに、図１の制御部１０６は、使用者による入力装置１０５の操作により、外部からフォーカスを移動させる旨の指令を受けたか否かを判別する（ステップＳ１２０）。【０１８８】
フォーカスの移動が指令された場合、制御部１０６は、フォーカスの進行方向において、現在フォーカスが位置する番組枠の時刻の直前または直後に放送休止時間または番組編成が未確定である時間が存在するか否かを判別する（ステップＳ１２１）。【０１８９】
放送休止時間または編成が未確定である時間が存在する場合、制御部１０６は、現在フォーカスが位置する番組枠の直前または直後に存在する休止枠または未確定枠にフォーカスを移動させる（ステップＳ１２２）。これにより、フォーカスの移動が終了する。【０１９０】
なお、休止枠または未確定枠にフォーカスが移動した場合には、フォーカスが通常の番組枠に位置する場合と同様に、フォーカスが位置する休止枠または未確定枠をハイライト表示してもよい。また、休止枠または未確定枠をハイライト表示する代わりに、フォーカスが休止枠または未確定枠に位置することを示す絵柄を一局番組表２００の一部に表示してもよい。【０１９１】
放送休止時間または番組編成が未確定である時間が存在しない場合、制御部１０６は、フォーカスの進行方向において、現在のフォーカス番組の時刻に最も近い時刻で放送が予定されかつ一局番組表２００に番組枠が表示されている放送予定番組を検索する（ステップＳ１２３）。そして、制御部１０６は、該当する放送予定番組が存在するか否かを判別する（ステップＳ１２４）。【０１９２】
放送予定番組が存在する場合、制御部１０６は、フォーカスをその放送予定番組の番組枠に移動させる（ステップＳ１２５）。これにより、フォーカスの移動が終了する。【０１９３】
放送予定番組が存在しない場合、制御部１０６は、一局番組表２００のスクロールが既に行われたか否かを判別する（ステップＳ１２６）。【０１９４】
スクロールが既に行われている場合、制御部１０６はフォーカスを移動させることなく、動作を終了する。【０１９５】
スクロールが行われていない場合、制御部１０６は、新たに表示対象となる時間帯を決定し、放送予定番組の情報をＥＰＧデータから抽出する。そして、制御部１０６は、抽出した情報に基づいてフォーカスの進行方向に一局番組表２００を所定時間分スクロールさせる（ステップＳ１２７）。その後、制御部１０６は、上記ステップＳ１２１の動作を行う。【０１９６】
（１０）第２のフォーカス移動プログラム
第２のフォーカス移動プログラムについて説明する。図１３は、第２のフォーカス移動プログラムを示すフローチャートである。上述のように、本プログラムは、図１の記憶装置１０６ｍに記憶される。本例では、移動前のフォーカスは番組枠に位置するものとする。【０１９７】
初めに、図１の制御部１０６は、使用者による図２の下ボタンＡＤの押下操作により、外部から信号を受けたか否かを判別し、下ボタンＡＤの押下操作を検出する（ステップＳ１３１）。【０１９８】
制御部１０６は、下ボタンＡＤの押下操作を検出することにより、上述の第１のフォーカス移動プログラムに基づいて時間軸の進行方向にフォーカスを移動させる（ステップＳ１３２）。【０１９９】
そして、制御部１０６は、フォーカスがＥＰＧデータに基づいて表示可能な最終の番組枠、すなわち最も将来の放送予定番組の番組枠を超えて移動するか否かを判別する（ステップＳ１３３）。【０２００】
フォーカスが上記の最終の番組枠を超えて移動する場合、制御部１０６は、フォーカスを隣接する番組表示欄２０５に表示された枠へ移動させる（ステップＳ１３４）。これにより、フォーカスの移動が終了する。【０２０１】
一方、フォーカスが上記の最終の番組枠を超えて移動しない場合、制御部１０６は、フォーカスの移動を終了する。【０２０２】
なお、上記ステップＳ１３４において、フォーカスの移動先となる枠は、移動元である番組枠の放送終了時刻以降でかつ放送終了時刻に最も近い時刻に対応付けられた番組枠、休止枠または未確定枠のいずれかである。【０２０３】
（１１）スクロールプログラム
スクロールプログラムについて説明する。図１４は、スクロールプログラムを示すフローチャートである。上述のように、本プログラムは、図１の記憶装置１０６ｍに記憶される。【０２０４】
初めに、図１の制御部１０６は、使用者による図２の下ボタンＡＤの押下操作により、外部から信号を受けたか否かを判別し、下ボタンＡＤの押下操作を検出する（ステップＳ１４１）。【０２０５】
制御部１０６は、下ボタンＡＤの押下操作を検出することにより、上述の第１のフォーカス移動プログラムに基づいて時間軸の進行方向にフォーカスを移動させる（ステップＳ１４２）。【０２０６】
そして、制御部１０６は、テレビジョン画面ＴＪに表示される複数の番組表示欄２０５のうち、放送予定番組に関する情報が全く表示されない番組表示欄２０５があるか否かを判別する（ステップＳ１４３）。【０２０７】
放送予定番組に関する情報が全く表示されない番組表示欄２０５がある場合、制御部１０６は、複数の番組表示欄２０５の全てに放送予定番組に関する情報が表示されるように、一局番組表２００を日付方向（横軸方向）にスクロールする（ステップＳ１４４）。これにより、スクロールプログラムに基づく動作が終了する。【０２０８】
一方、放送予定番組に関する情報が全く表示されない番組表示欄２０５が存在しない場合、制御部１０６は、一局番組表２００の日付方向（横軸方向）へのスクロールを行うことなくフォーカスの移動を終了する。【０２０９】
本例において、図２の入力装置１０５は、下ボタンＡＤが押下された状態が所定時間継続された場合に、下ボタンＡＤが押下されたことを示す信号を連続して制御部１０６に与えてもよい。【０２１０】
この場合、例えば使用者が下ボタンＡＤを押下した状態を持続することにより、制御部１０６は、一局番組表２００を連続してスクロールさせてもよい（キーリピート機能）。【０２１１】
また、制御部１０６は、上記のようにキーリピートが行われている間は、上記ステップＳ１４１，Ｓ１４２の動作を繰り返し、キーリピートが終了することにより、ステップＳ１４３の動作を行ってもよい。【０２１２】
上記のほか、制御部１０６はステップＳ１４２の動作に続いて、図２の入力装置１０５のカーソルボタンが所定時間操作されたか否かを判別し、所定時間経過した場合に、ステップＳ１４３の動作を行ってもよい。【０２１３】
本スクロールプログラムにおいて、ステップＳ１４４の処理により一局番組表２００が日付方向にスクロールされる場合、スクロール時の表示形態を使用者が入力装置１０５を操作することによるスクロール時の表示形態と識別可能にしてもよい。【０２１４】
例えば、使用者が入力装置１０５を操作することにより一局番組表２００を日付方向にスクロールさせる際に、一局番組表２００が番組表示欄２０５の列単位で再描画される場合を想定する。この場合、制御部１０６は、上記スクロールプログラムにより一局番組表２００が日付方向にスクロールされる際に、例えば一局番組表２００を画素単位で日付方向に移動させる。【０２１５】
これにより、使用者は、自己の意図に基づく一局番組表２００のスクロールと、表示装置１００において自動的に行われる一局番組表２００のスクロールとを容易に識別できる。【０２１６】
また、上記のように、一局番組表２００が画素単位でスクロールされると、一局番組表２００の表示状態が滑らかに変化する。これにより、使用者がフォーカス位置を見失うことが防止される。【０２１７】
（１２）グループフォーカスの対象
本実施の形態においては、所定の関係を有する放送予定番組の番組枠としてシリーズ番組の番組枠がグループフォーカスの対象となることを説明したが、グループフォーカスの対象となる番組枠は、以下の条件により設定されてもよい。【０２１８】
例えば、同じジャンルの放送予定番組、同じ出演者が出演する放送予定番組、および使用者の嗜好に適合する放送予定番組の番組枠をグループフォーカスの対象としてもよい。【０２１９】
なお、使用者の嗜好に適合する放送予定番組は、例えば表示装置１００の制御部１０６が、使用者の視聴状態を監視することにより視聴者の嗜好のジャンルを識別し、識別されたジャンルの放送予定番組の番組枠をグループフォーカスの対象としてもよいし、視聴者が視聴する番組のうち視聴頻度が高い上位のシリーズ番組（例えば、上位３つの番組等）の放送予定番組の番組枠をグループフォーカスの対象としてもよい。【０２２０】
図１の制御部１０６は、ＥＰＧデータに含まれる番組名、放送時間、またはジャンル等の情報に基づいてグループフォーカスの対象となる番組枠を判定してもよい。【０２２１】
また、制御部１０６は、使用者により予め設定された放送予定時刻、日付または曜日に基づいてグループフォーカスの対象となる番組枠を判定してもよい。【０２２２】
グループフォーカスの対象となる番組枠の判定は、放送局装置２０から送信されるＥＰＧデータのみならず、放送局装置２０以外の機器から例えばインターネットを通して送信される情報に基づいて行われてもよい。【０２２３】
（１３）効果
本実施の形態に係る表示装置１００においては、使用者による入力装置１０５の操作に基づいて一局番組表２００が時間軸方向に沿ってスクロールされる。【０２２４】
そして、使用者による入力装置１０５の操作時においては、テレビジョン画面ＴＪ上に表示される複数の番組表示欄２０５の領域が各日付の番組表示欄２０５の終了部分と次の日付の番組表示欄２０５の開始部分とを含む場合に、各日付の番組表示欄２０５の終了部分と次の日付の番組表示欄２０５の開始部分とが同じ番組表示欄２０５に連続して表示される。【０２２５】
これにより、テレビジョン画面ＴＪ上に表示される複数の番組表示欄２０５の領域が日付をまたいで移動される場合でも、各日付の番組表示欄２０５の終了部分と次の日付の番組表示欄２０５の開始部分とが切り替わるようにテレビジョン画面ＴＪ上に表示されることが防止される。【０２２６】
それにより、テレビジョン画面ＴＪ上に表示される複数の番組表示欄２０５の内容の全てが変更されないので、一局番組表２００の表示時間が短縮される。また、使用者はテレビジョン画面ＴＪ上に表示される複数の番組表示欄２０５の内容の全てを再認識する必要がない。したがって、使用者は、ストレスを感じることなく一局番組表２００をスクロールさせることができる。その結果、使用者は、ストレスを感じることなく、一局番組表２００を確認することができる。【０２２７】
（１４）他の実施の形態
上記実施の形態では、制御部１０６がＣＰＵならびに一局番組表表示プログラム、第１のフォーカス移動プログラム、第２のフォーカス移動プログラムおよびスクロールプログラムにより実現されるが、これに限定されず、制御部１０６が電子回路等のハードウェアにより実現されてもよい。【０２２８】
また、描画部１０７はＣＰＵおよびプログラムにより実現されてもよく、電子回路等のハードウェアにより実現されてもよい。【０２２９】
同様に、表示合成部１０８はＣＰＵおよびプログラムにより実現されてもよく、電子回路等のハードウェアにより実現されてもよい。【０２３０】
（１５）請求項の各構成要素と実施の形態の各部との対応
以下、請求項の各構成要素と実施の形態の各部との対応の例について説明するが、本発明は下記の例に限定されない。【０２３１】
上記実施の形態では、放送受信部１０２が受信部の例であり、図１の番組情報蓄積部１０４、入力装置１０５、描画部１０７および表示合成部１０８が番組表生成部の例であり、入力装置１０５が操作装置の例であり、図１の制御部１０６が処理装置の例である。【０２３２】
また、時刻表示欄２０３により示される縦軸が時間軸の例であり、日付表示欄２０４により示される横軸が日付軸の例であり、図５の主フォーカス番組枠ｆ２のハイライト表示が第１の表示形態の例であり、図５の従属フォーカス番組枠ｆ３，ｆ４のハイライト表示が第２の表示形態の例である。【０２３３】
さらに、未確定枠が未確定の期間を示す空き枠の例であり、休止枠が番組休止期間を示す空き枠の例であり、第１のフォーカス移動プログラムおよび一局番組表表示プログラムが表示プログラムの例である。【０２３４】
請求項の各構成要素として、請求項に記載されている構成または機能を有する他の種々の要素を用いることもできる。
【産業上の利用可能性】
【０２３５】
本発明は、複数の日の番組情報をラジオ・テレビ欄の形式で表示する際に有効に利用可能である。また、時間軸を持つ情報であれば、番組情報以外の一般情報にも利用可能である。例えば、交通機関の時刻表を表示する際にも有効に利用可能である。
【図１】
2009037830.tif 000003
【図２】
2009037830.tif 000004
【図３】
2009037830.tif 000005
【図４】
2009037830.tif 000006
【図５】
2009037830.tif 000007
【図６】
2009037830.tif 000008
【図７】
2009037830.tif 000009
【図８】
2009037830.tif 000010
【図９】
2009037830.tif 000011
【図１０】
2009037830.tif 000012
【図１１】
2009037830.tif 000013
【図１２】
2009037830.tif 000014
【図１３】
2009037830.tif 000015
【図１４】
2009037830.tif 000016
【図１５】
2009037830.tif 000017
【図１６】
2009037830.tif 000018
【図１７】
2009037830.tif 000019
【手続補正書】
【提出日】平成22年3月10日(2010.3.10)
【手続補正１】
【補正対象書類名】明細書
【補正対象項目名】全文
【補正方法】変更
【補正の内容】
【発明の詳細な説明】
【技術分野】
【０００１】
番組情報を表示する表示装置、表示方法および表示プログラムに関する。
【背景技術】
【０００２】
放送システムは、放送局から番組の放送信号を送信する送信系としての放送局装置、および放送局装置により送信された放送信号を受信する受信系としての受信装置（例えば、テレビジョン受像機）を含む。
【０００３】
デジタル放送システムにおいては、送信系から受信系に送信される放送信号に複数の情報を多重することにより、視聴者の要望に応じた受信系の機能の多様化が図られている。
【０００４】
例えば、放送予定番組の情報（番組編成情報）を視聴者に提示するサービスが実用化されている。このサービスによれば、送信系において、番組編成情報が電子番組ガイド（ＥＰＧ： Electric Program Guide ）データとして放送信号に多重され、受信系に送信される。受信系においては、与えられた放送信号からＥＰＧデータが抽出され、放送予定番組の情報が視聴者に提示される。
【０００５】
ここで、ＥＰＧデータにおいては、例えば放送予定番組ごとに、「番組名」、「放送開始時刻」、「放送終了時刻」、「チャンネル」および「番組識別子」が関連付けされている。
【０００６】
「番組名」は関連付けされている放送予定番組の名称であり、「放送開始時刻」はその放送予定番組の開始予定時刻である。また、「放送終了時刻」はその放送予定番組の終了予定時刻であり、「チャンネル」はその放送予定番組が放映されるチャンネルである。「番組識別子」は、個々の放送予定番組および放送中の番組を識別するためのものである。
【０００７】
さらに、ＥＰＧデータには、視聴者が所望の番組を検索等するための情報として、番組のジャンル、番組の説明、番組の出演者、または番組に関連する情報へのリンク情報等が含まれる場合がある。
【０００８】
ＥＰＧデータを放送信号に多重することにより、例えばテレビジョン画面に放送予定番組の情報を表示することができる。これにより、視聴者は、例えば表示された放送予定番組の情報に基づいて、所望の放送予定番組を指定し、その番組に関する情報を確認することができる。
【０００９】
ところで、放送予定番組の情報を視聴者に提示するサービスの実用化に伴い、デジタル放送システムに使用される番組配列情報標準規格（ＳＴＤ−Ｂ１０）が社団法人電波産業会により策定されている。したがって、現在のデジタル放送システムにおいては、この標準規格に基づいて送信系からＥＰＧデータが送信される。
【００１０】
上記の標準規格においては、送信系から受信系に送信されるＥＰＧデータの内容が、その送信時から一定期間分（例えば、送信時から８日分）の放送予定番組に制限される。
【００１１】
図１５は、送信時から所定日数分の番組表の一例を示す図である。図１５の番組表においては、縦軸方向に放送時刻が示され、横軸方向に複数のテレビ局（Ａ〜Ｅテレビ）が示されている。これにより、各テレビ局の放送予定番組が経時的に列方向に表示される。この表示形態はラジオ・テレビ欄表示と呼ばれる。
【００１２】
図１５においては、空白で示される番組枠に各テレビ局の放送予定番組が対応付けられている。また、ハッチングを施した休止枠には各テレビ局の放送休止時間が対応付けられている。
【００１３】
上記のように、ＥＰＧデータの内容には、送信時から一定期間内の放送予定番組についての情報が含まれる。したがって、ＥＰＧデータによれば、図１５に示すような番組表を作成することが可能である。
【００１４】
しかしながら、受信装置においては、送信時から一定期間にわたる全ての情報を一度にテレビジョン画面に表示することはできない。そのため、テレビジョン画面には、例えば図１５の太い破線で示すように、ＥＰＧデータにより得られる番組表の一部が表示される。
【００１５】
図１６は、従来の受信装置においてテレビジョン画面に表示される番組表の一例を示す図である。図１６に示すように、例えば使用者がリモートコントローラを操作することにより、テレビジョン画面ＴＪに番組表９００が表示される。
【００１６】
テレビジョン画面ＴＪの上部には、複数の日付タブ９０１が表示される。日付タブ９０１の下側には、番組表９００の一部としてフォーカス番組表示欄９０２が表示される。フォーカス番組表示欄９０２には、後述するフォーカス番組に関する詳細な情報が表示される。
【００１７】
フォーカス番組表示欄９０２のさらに下側には、時刻表示欄９０３、テレビ局表示欄９０４および番組表示欄９０５が表示される。
【００１８】
時刻表示欄９０３では、番組の放送予定時刻が縦軸方向に表示される。テレビ局表示欄９０４では、複数のテレビ局名が横軸方向に表示される。番組表示欄９０５では、番組枠および休止枠が時刻表示欄９０３で表示される時刻に沿って表示される。
【００１９】
使用者は、リモートコントローラを操作することにより、番組表９００に表示される複数の番組枠および休止枠のうちの一つを選択することができる。これにより、選択された番組枠または休止枠がハイライト表示される。
【００２０】
図１６の番組表９００においては、Ａテレビ局の「真実は見えるか」という番組を表す番組枠がハイライト表示されている。なお、図１６の番組表９００においては、ハイライト表示を目の粗い斜線のハッチングにより表す。
【００２１】
以下の説明では、上記のように使用者により特定の番組枠または休止枠を選択することが可能な状態をフォーカスと呼ぶ。また、フォーカスにより選択された番組枠に対応付けられた放送予定番組を、フォーカス番組と呼ぶ。
【００２２】
使用者は、リモートコントローラを操作することにより、フォーカスを枠毎に移動させることができる。また、使用者は、フォーカスを時間軸方向（縦軸方向）に沿って順次移動させることにより、番組表９００を時間軸に沿ってスクロールさせることができる。
【００２３】
上記のように、受信装置のテレビジョン画面に番組表を表示する機能については、使用者の使い勝手等を考慮して様々な機能が提案されている（例えば、特許文献１，２参照）。
【先行技術文献】
【特許文献】
【００２４】
【特許文献１】特表平６−５０４１６５号公報
【特許文献２】特開２００６−３１３９４８号公報
【発明の概要】
【発明が解決しようとする課題】
【００２５】
ところで、テレビジョン画面ＴＪに表示される番組表の表示形態の一例として、１のテレビ局のみの放送予定番組の情報を表示する番組表がある。以下、このような形態で表示される番組表を一局番組表と呼ぶ。
【００２６】
図１７は、一局番組表の一例を示す図である。図１７の一局番組表においては、縦軸方向に放送予定時刻が示され、横軸方向に放送予定日が示されている。これにより、１日ごとにＡテレビ局の放送予定番組が経時的に列方向に表示される。すなわち、図１７の一局番組表においては、Ａテレビ局のラジオ・テレビ欄が１日ごとに表示されている。
【００２７】
図１７においては、空白で示される番組枠にＡテレビ局の放送予定番組が対応付けられている。また、ハッチングを施した休止枠にはＡテレビ局の放送休止時間が対応付けられている。
【００２８】
図１７に示すように、一局番組表においては、例えば１日ごとのラジオ・テレビ欄が、０時または放送休止時間を基準として折り返して表示される。このような一局番組表は、例えばテレビ局のホームページなどで用いられている。
【００２９】
ＥＰＧデータを用いることにより、テレビジョン画面ＴＪに一局番組表を表示させることも可能である。テレビジョン画面ＴＪに一局番組表を表示する場合、テレビジョン画面ＴＪには他のテレビ局の番組表が表示されない。これにより、テレビジョン画面ＴＪの限られた表示領域が有効に使用される。
【００３０】
テレビジョン画面ＴＪに一局番組表を表示する際には、テレビジョン画面ＴＪの表示領域に限りがあるため、１日分のラジオ・テレビ欄を一度に表示することはできない。したがって、例えば図１７の太い破線で示すように、テレビジョン画面ＴＪには一局番組表の一部が表示される。
【００３１】
これにより、使用者がテレビジョン画面ＴＪに表示される一局番組表を閲覧する場合には、例えば朝、昼、晩および深夜の所定の時間帯ごとに一局番組表の表示範囲を切り替える必要がある。または、表示対象となる時間帯を変化させることにより一局番組表の表示範囲をスクロールさせる必要がある。
【００３２】
しかしながら、上記のように、一局番組表が所定の時間帯ごとに切り替えられてテレビジョン画面ＴＪに表示されると、切り替えが行われるごとに、一局番組表がテレビジョン画面ＴＪに再描画される。
【００３３】
この場合、使用者は再描画が行われるごとに一局番組表の表示対象となる時間帯を再認識しなければならない。また、再描画が行われるごとにテレビジョン画面ＴＪに表示される内容が大きく変化する。これにより、使用者は、一局番組表の内容についても再認識する必要がある。それにより、使用者は、多くの情報を再認識しなければならないので、再認識作業にストレスを感じる。
【００３４】
また、一局番組表が所定の時間帯ごとに切り替えられて表示されると、一局番組表の全体がテレビジョン画面ＴＪに再描画される。そのため、再描画のための時間が長くなる。これにより、使用者は一局番組表の表示範囲の切り替えごとにストレスを感じる。
【００３５】
一方、一局番組表の表示範囲がスクロールされる場合には、例えば使用者がリモートコントローラを用いてカーソルを移動させることにより、カーソルの移動に応答して一局番組表の表示範囲がスクロールされる。この場合、一局番組表が所定の時間帯ごとに切り替えられて表示される場合に比べて、再描画による内容の変化が少ないので、スクロール時に一局番組表の時間帯および内容を再認識すべき負担が軽減される。
【００３６】
しかしながら、上述のように、一局番組表は、１日ごとのラジオ・テレビ欄が０時または放送休止時間を基準として折り返して表示される。そのため、使用者が、一局番組表の表示範囲を０時または放送休止時間をまたぐようにスクロールさせる際には、一局番組表を所定の時間帯ごとに切り替える場合と同様の現象が生じる。
【００３７】
具体例を説明する。以下の説明では、一局番組表の１日ごとのラジオ・テレビ欄が０時（２４時）で折り返して作成されるものとする。以下、折り返しが行われる時間を折り返し時間と呼ぶ。
【００３８】
例えば、１０月２日０時の直前の番組枠にフォーカスが位置する場合、テレビジョン画面ＴＪには１０月１日の一局番組表が表示される。この状態で、使用者がさらにフォーカスを将来側に移動させても１０月１日の一局番組表には２４時以降の情報が存在しないので、テレビジョン画面ＴＪには１０月２日の０時からの一局番組表が表示される。
【００３９】
このように、一局番組表の表示範囲をスクロールさせる場合であっても、一局番組表の折り返し時間をまたぐようにスクロールさせる際には一局番組表の表示範囲が全面的に切り替わる。これにより、使用者は、一局番組表を所定の時間帯ごとに切り替える場合と同様のストレスを感じる。
【００４０】
本発明の目的は、使用者がストレスを感じることなく画面上に表示される番組表の情報を確認することができる表示装置、表示方法および表示プログラムを提供することである。
【課題を解決するための手段】
【００４１】
（１）本発明の一局面に従う表示装置は、放送信号を受信し、受信した放送信号から番組編成情報を抽出する受信部と、受信部により抽出された番組編成情報に基づいて番組表を生成する番組表生成部と、番組表生成部により生成された番組表の少なくとも一部の領域を画面上に表示する表示部と、画面上に表示される番組表の領域を移動させるために使用者により操作される操作装置と、番組表生成部により生成される番組表の少なくとも一部の領域を表示部に表示させるために番組表生成部を制御する制御部とを備え、番組表は、番組の放送予定時刻を表す時間軸と、番組の放送予定日を表すために時間軸に交差するように設けられた日付軸と、日付軸における日付ごとに時間軸に沿って延びるように設けられた複数の番組表示欄とを含み、複数の番組表示欄のいずれかに表示されかつ番組に関する情報を示す少なくとも１つの番組枠を有し、制御部は、操作装置の操作に基づいて、画面上に表示される複数の番組表示欄の領域が時間軸に沿ってそれぞれ移動されるとともに、画面上に表示される複数の番組表示欄の領域が各日付の番組表示欄の終了部分と次の日付の番組表示欄の開始部分とを含む場合に各日付の番組表示欄の終了部分と次の日付の番組表示欄の開始部分とが同じ番組表示欄に連続して表示されるように番組表生成部を制御するものである。
【００４２】
この表示装置においては、受信部により放送信号が受信され、受信された放送信号から番組編成情報が抽出される。抽出された番組編成情報に基づいて、番組表生成部により番組表が生成される。そして、生成された番組表の少なくとも一部の領域が表示部に表示される。
【００４３】
ここで、番組表は、番組の放送予定時刻を表す時間軸と、番組の放送予定日を表すために時間軸に交差するように設けられた日付軸と、日付軸における日付ごとに時間軸に沿って延びるように設けられた複数の番組表示欄とを含む。
【００４４】
複数の番組表示欄のいずれかには、番組に関する情報を示す少なくとも１つの番組枠が表示される。これにより、使用者は番組枠により示される番組に関する情報を容易かつ確実に認識することができる。
【００４５】
使用者による操作装置の操作に基づいて、画面上に表示される複数の番組表示欄の領域が時間軸に沿ってそれぞれ移動される。これにより、使用者は、操作装置を操作することにより、各日付の所望の時間帯における番組の情報を容易かつ確実に認識することができる。
【００４６】
使用者による操作装置の操作時においては、画面上に表示される複数の番組表示欄の領域が各日付の番組表示欄の終了部分と次の日付の番組表示欄の開始部分とを含む場合に、各日付の番組表示欄の終了部分と次の日付の番組表示欄の開始部分とが同じ番組表示欄に連続して表示される。
【００４７】
これにより、使用者による操作装置の操作に基づいて、画面上に表示される複数の番組表示欄の領域が連続する日付をまたいで移動される場合でも、各日付の番組表示欄の終了部分と次の日付の番組表示欄の開始部分とが切り替わるように画面上に表示されることが防止される。
【００４８】
それにより、画面上に表示される複数の番組表示欄の内容の全てが変更されないので、番組表生成部による番組表の生成時間が短縮され、表示部に表示される番組表の表示時間が短縮される。また、各日付の番組表示欄の終了部分と次の日付の番組表示欄の開始部分とを同時に視認することができるとともに、各日付の番組表示欄の終了部分と次の日付の番組表示欄の開始部分との連続性を視覚的に認識することができる。したがって、使用者は、ストレスを感じることなく画面上に表示される番組表の情報を確認することができる。
【００４９】
（２）操作装置は、さらに、１つの番組枠を選択するために使用者により操作され、制御部は、操作装置の操作に基づいて選択された番組枠が第１の番組枠として第１の表示形態で表示されるとともに、第１の番組枠と予め定められた関係を有する他の番組枠が存在する場合に、第１の番組枠と予め定められた関係を有する他の番組枠が第２の番組枠として第２の表示形態で表示されるように番組表生成部を制御し、第１および第２の表示形態は、第１および第２の番組枠以外の領域の表示形態と異なるように設定されてもよい。
【００５０】
この場合、使用者による操作装置の操作により、１つの番組枠が選択される。選択された１つの番組枠は、第１の表示形態で表示される。このとき、第１の番組枠と予め定められた関係を有する他の番組枠が存在する場合、他の番組枠が第２の番組枠として第２の表示形態で表示される。また、第１および第２の表示形態は第１および第２の番組枠以外の領域の表示形態と異なる。
【００５１】
これにより、使用者は、自己が選択した第１の番組枠の番組を第１の表示形態により視覚的に認識することができるとともに、第１の番組枠の番組と予め定められた関係を有する第２の番組枠の番組を第２の表示形態により視覚的に認識することができる。
【００５２】
（３）予め定められた関係は、第２の番組枠の番組が第１の番組枠の番組と共通のタイトル名を有するシリーズ番組であってもよい。
【００５３】
この場合、使用者は、第１の番組枠の番組がシリーズ番組であることを視覚的に認識するとともに、第１の番組枠の番組のタイトル名と共通のタイトル名を有するシリーズ番組を第２の番組枠の番組として視覚的に認識することができる。
【００５４】
（４）予め定められた関係は、第２の番組枠の番組が第１の番組枠の番組と共通のジャンルに含まれてもよい。
【００５５】
この場合、使用者は、第１の番組枠の番組と共通のジャンルに含まれる番組が存在することを視覚的に認識するとともに、第１の番組枠の番組と共通のジャンルに含まれる番組を第２の番組枠の番組として視覚的に認識することができる。
【００５６】
（５）番組表は、各番組表示欄内で番組枠が存在しない領域に放送予定番組が未確定の期間または番組休止期間を示す空き枠を有し、操作装置は、さらに、１つの番組枠または１つの空き枠を選択するために使用者により操作され、制御部は、少なくとも１つの番組枠を含む最終の日付の番組表示欄の最終の番組枠が選択された状態で、使用者により操作装置を用いて後続する空き枠を選択する操作が行われた場合に、直前の日付の番組表示欄の番組枠または空き枠のうち上記の最終の番組枠よりも後の時点で開始する番組枠または空き枠が選択されるように、番組表生成部を制御してもよい。
【００５７】
この場合、使用者により少なくとも１つの番組枠を含む最終の日付の番組表示欄の最終の番組枠が選択された状態で、使用者により操作装置を用いて後続する空き枠を選択する操作が行われた場合に、直前の日付の番組表示欄の番組枠または空き枠のうち上記の最終の番組枠よりも後の時点で開始する番組枠または空き枠が選択される。
【００５８】
これにより、使用者は、少なくとも１つの番組枠を含む最終の日付の番組表示欄の最終の番組枠を選択している状態であっても、操作装置を用いて後続する空き枠を選択する操作を行うことにより、前日の番組表示欄の次の時点の番組枠または空き枠を選択することができる。
【００５９】
したがって、使用者は、最終の日付の番組表示欄の最終枠が選択された状態から、前日の番組表示欄の次の時点の番組枠または空き枠を容易に選択することができる。
【００６０】
（６）番組表は、各番組表示欄内で番組枠が存在しない領域に放送予定番組が未確定の期間または番組休止期間を示す空き枠を有し、操作装置は、さらに、１つの番組枠または１つの空き枠を選択枠として選択するために使用者により操作され、制御部は、少なくとも１つの番組枠または空き枠を含む最終の日付の番組表示欄の最終の選択枠が選択された場合に、画面上で番組表を日付軸に沿って移動させることにより画面上に番組枠および空き枠を有しない番組表示欄の領域が表示されないように番組表生成部を制御してもよい。
【００６１】
この場合、１つの番組枠ならびに放送予定番組が未確定の期間または番組休止期間を示す１つの空き枠のいずれかが、使用者による操作装置の操作により選択枠として選択される。
【００６２】
そして、使用者により操作装置を用いて少なくとも１つの番組枠または空き枠を含む最終の日付の番組表示欄の最終の選択枠が選択された場合に、画面上に番組枠および空き枠を有しない番組表示欄の領域が表示されないように、画面上で番組表が日付軸に沿って移動される。
【００６３】
これにより、表示部の画面上には、番組枠および空き枠を有しない番組表示欄が表示されないので、表示領域の無駄な消費が防止される。
【００６４】
（７）本発明の他の局面に従う表示方法は、表示部に番組表を表示する表示方法であって、放送信号を受信し、受信した放送信号から番組編成情報を抽出するステップと、抽出された番組編成情報に基づいて番組表を生成するステップと、生成された番組表の少なくとも一部の領域を画面上に表示するステップと、使用者による操作装置の操作により、画面上に表示される番組表の領域を移動させるステップとを備え、番組表は、番組の放送予定時刻を表す時間軸と、番組の放送予定日を表すために時間軸に交差するように設けられた日付軸と、日付軸における日付ごとに時間軸に沿って延びるように設けられた複数の番組表示欄とを含み、複数の番組表示欄のいずれかに表示されかつ番組に関する情報を示す少なくとも１つの番組枠を有し、番組表を生成するステップは、操作装置の操作に基づいて、画面上に表示される複数の番組表示欄の領域を時間軸に沿ってそれぞれ移動させるとともに、画面上に表示される複数の番組表示欄の領域が各日付の番組表示欄の終了部分と次の日付の番組表示欄の開始部分とを含む場合に各日付の番組表示欄の終了部分と次の日付の番組表示欄の開始部分とを同じ番組表示欄に連続して表示させるステップを含むものである。
【００６５】
この表示方法においては、放送信号が受信され、受信された放送信号から番組編成情報が抽出される。抽出された番組編成情報に基づいて、番組表が生成される。そして、生成された番組表の少なくとも一部の領域が表示部に表示される。
【００６６】
ここで、番組表は、番組の放送予定時刻を表す時間軸と、番組の放送予定日を表すために時間軸に交差するように設けられた日付軸と、日付軸における日付ごとに時間軸に沿って延びるように設けられた複数の番組表示欄とを含む。
【００６７】
複数の番組表示欄のいずれかには、番組に関する情報を示す少なくとも１つの番組枠が表示される。これにより、使用者は番組枠により示される番組に関する情報を容易かつ確実に認識することができる。
【００６８】
使用者による操作装置の操作に基づいて、画面上に表示される複数の番組表示欄の領域が時間軸に沿ってそれぞれ移動される。これにより、使用者は、操作装置を操作することにより、各日付の所望の時間帯における番組の情報を容易かつ確実に認識することができる。
【００６９】
使用者による操作装置の操作時においては、画面上に表示される複数の番組表示欄の領域が各日付の番組表示欄の終了部分と次の日付の番組表示欄の開始部分とを含む場合に、各日付の番組表示欄の終了部分と次の日付の番組表示欄の開始部分とが同じ番組表示欄に連続して表示される。
【００７０】
これにより、使用者による操作装置の操作に基づいて、画面上に表示される複数の番組表示欄の領域が連続する日付をまたいで移動される場合でも、各日付の番組表示欄の終了部分と次の日付の番組表示欄の開始部分とが切り替わるように画面上に表示されることが防止される。
【００７１】
それにより、画面上に表示される複数の番組表示欄の内容の全てが変更されないので、番組表の生成時間が短縮され、表示部に表示される番組表の表示時間が短縮される。また、各日付の番組表示欄の終了部分と次の日付の番組表示欄の開始部分とを同時に視認することができるとともに、各日付の番組表示欄の終了部分と次の日付の番組表示欄の開始部分との連続性を視覚的に認識することができる。したがって、使用者は、ストレスを感じることなく画面上に表示される番組表の情報を確認することができる。
【００７２】
（８）本発明のさらに他の局面に従う表示プログラムは、表示部に番組表を表示するために処理装置により実行可能な表示プログラムであって、放送信号を受信し、受信した放送信号から番組編成情報を抽出する処理と、抽出された番組編成情報に基づいて番組表を生成する処理と、生成された番組表の少なくとも一部の領域を画面上に表示する処理と、使用者による操作装置の操作により、画面上に表示される番組表の領域を移動させる処理とを備え、番組表は、番組の放送予定時刻を表す時間軸と、番組の放送予定日を表すために時間軸に交差するように設けられた日付軸と、日付軸における日付ごとに時間軸に沿って延びるように設けられた複数の番組表示欄とを含み、複数の番組表示欄のいずれかに表示されかつ番組に関する情報を示す少なくとも１つの番組枠を有し、番組表を生成する処理は、操作装置の操作に基づいて、画面上に表示される複数の番組表示欄の領域を時間軸に沿ってそれぞれ移動させるとともに、画面上に表示される複数の番組表示欄の領域が各日付の番組表示欄の終了部分と次の日付の番組表示欄の開始部分とを含む場合に各日付の番組表示欄の終了部分と次の日付の番組表示欄の開始部分とを同じ番組表示欄に連続して表示させる処理を処理装置に実行させるものである。
【００７３】
この表示プログラムにおいては、放送信号が受信され、受信された放送信号から番組編成情報が抽出される。抽出された番組編成情報に基づいて、番組表が生成される。そして、生成された番組表の少なくとも一部の領域が表示部に表示される。
【００７４】
ここで、番組表は、番組の放送予定時刻を表す時間軸と、番組の放送予定日を表すために時間軸に交差するように設けられた日付軸と、日付軸における日付ごとに時間軸に沿って延びるように設けられた複数の番組表示欄とを含む。
【００７５】
複数の番組表示欄のいずれかには、番組に関する情報を示す少なくとも１つの番組枠が表示される。これにより、使用者は番組枠により示される番組に関する情報を容易かつ確実に認識することができる。
【００７６】
使用者による操作装置の操作に基づいて、画面上に表示される複数の番組表示欄の領域が時間軸に沿ってそれぞれ移動される。これにより、使用者は、操作装置を操作することにより、各日付の所望の時間帯における番組の情報を容易かつ確実に認識することができる。
【００７７】
使用者による操作装置の操作時においては、画面上に表示される複数の番組表示欄の領域が各日付の番組表示欄の終了部分と次の日付の番組表示欄の開始部分とを含む場合に、各日付の番組表示欄の終了部分と次の日付の番組表示欄の開始部分とが同じ番組表示欄に連続して表示される。
【００７８】
これにより、使用者による操作装置の操作に基づいて、画面上に表示される複数の番組表示欄の領域が連続する日付をまたいで移動される場合でも、各日付の番組表示欄の終了部分と次の日付の番組表示欄の開始部分とが切り替わるように画面上に表示されることが防止される。
【００７９】
それにより、画面上に表示される複数の番組表示欄の内容の全てが変更されないので、番組表の生成時間が短縮され、表示部に表示される番組表の表示時間が短縮される。また、各日付の番組表示欄の終了部分と次の日付の番組表示欄の開始部分とを同時に視認することができるとともに、各日付の番組表示欄の終了部分と次の日付の番組表示欄の開始部分との連続性を視覚的に認識することができる。したがって、使用者は、ストレスを感じることなく画面上に表示される番組表の情報を確認することができる。
【発明の効果】
【００８０】
本発明に係る表示装置、表示方法および表示プログラムによれば、使用者は、ストレスを感じることなく画面上に表示される番組表の情報を確認することができる。
【図面の簡単な説明】
【００８１】
【図１】図１は本発明の一実施の形態に係る表示装置の構成を示すブロック図
【図２】図２は図１の入力装置を示す模式図
【図３】図３は図１の表示装置において表示部に表示される一局番組表の一表示例を示す図
【図４】図４はテレビジョン画面ＴＪに表示される一局番組表のスクロール動作の概念を説明するための図
【図５】図５は第１のフォーカス移動例を説明するための図
【図６】図６は第１のフォーカス移動例を説明するための図
【図７】図７は第２のフォーカス移動例を説明するための図
【図８】図８は第２のフォーカス移動例を説明するための図
【図９】図９は一局番組表の横軸方向へのスクロール動作の一例を説明するための図
【図１０】図１０は一局番組表の横軸方向へのスクロール動作の一例を説明するための図
【図１１】図１１は一局番組表表示プログラムのフローチャート
【図１２】図１２は第１のフォーカス移動プログラムを示すフローチャート
【図１３】図１３は第２のフォーカス移動プログラムを示すフローチャート
【図１４】図１４はスクロールプログラムを示すフローチャート
【図１５】図１５は送信時から所定日数分の番組表の一例を示す図
【図１６】図１６は従来の受信装置においてテレビジョン画面に表示される番組表の一例を示す図
【図１７】図１７は一局番組表の一例を示す図
【発明を実施するための形態】
【００８２】
本発明の一実施の形態に係る表示装置、表示方法および表示プログラムについて、図面を参照しつつ説明する。
【００８３】
本実施の形態において、表示装置は放送局から送信される番組の放送信号を受信するテレビジョン受像機である。
【００８４】
また、本実施の形態においては、放送予定番組の情報（番組編成情報）が、電子番組ガイド（ＥＰＧ： Electric Program Guide ）データとして放送信号に多重され、放送局から表示装置に送信される。
【００８５】
ここで、番組編成情報とは、複数の番組情報から構成される情報である。また、番組情報とは、各放送予定番組に関する情報であり、少なくとも放送局および放送予定日時を含むものである。なお、本実施の形態では、番組情報には、視聴者が所望の番組を検索等するための情報として、番組のジャンル、番組の説明、番組の出演者、または番組に関連する情報へのリンク情報等が含まれる。
【００８６】
本実施の形態に係る表示装置においては、上記のＥＰＧデータに基づいて、１のテレビ局のみの放送予定番組の情報を示す番組表が表示される。以下、このような形態で表示される番組表を一局番組表と呼ぶ。
【００８７】
デジタル放送システムに使用される番組配列情報標準規格（ＳＴＤ−Ｂ１０）においては、送信系から受信系に送信されるＥＰＧデータの内容がその送信時から８日分の放送予定番組に制限されるが、本実施の形態においては、ＥＰＧデータに送信時から１５日分の放送予定番組の情報が含まれる。
【００８８】
（１）表示装置の構成
図１は、本発明の一実施の形態に係る表示装置の構成を示すブロック図である。図１に示すように、表示装置１００は、受信アンテナ１０１、放送受信部１０２、番組再生部１０３、番組情報蓄積部１０４、入力装置１０５、制御部１０６、描画部１０７、表示合成部１０８および表示部１０９を備える。なお、図１においては、表示装置１００の本体部分が点線で示されている。
【００８９】
受信アンテナ１０１は、放送電波を受信して、電気信号に変換する。これにより、放送局装置２０から受信された放送電波が、電気信号形式で放送受信部１０２に与えられる。なお、本実施の形態において、受信アンテナ１０１は、一般的なテレビジョン受像機に用いられるテレビ放送用の受信アンテナである。また、テレビ放送は、地上デジタル放送および衛星デジタル放送を含む。
【００９０】
放送受信部１０２は、図示しない高周波チューナ部およびトランスポートストリーム（以下、ＴＳと略記する）デコーダを含む。これにより、放送受信部１０２においては、高周波チューナ部が、受信アンテナ１０１により受信された放送電波の周波数を選択することにより選局を行う。それにより、選局された放送信号がＴＳデコーダに与えられる。
【００９１】
放送受信部１０２のＴＳデコーダは、高周波チューナ部から与えられた放送信号をデコードし、ＥＰＧデータ、映像データおよび音声データのパケットを抽出する。これにより、特定の放送局から放送された番組の映像データおよび音声データのパケットが番組再生部１０３に与えられる。また、ＥＰＧデータのパケットが番組情報蓄積部１０４に与えられる。
【００９２】
番組再生部１０３は、放送受信部１０２から与えられる映像データおよび音声データを再生する。本実施の形態において、番組再生部１０３は例えばＭＰＥＧ（ Motion Picture Experts Group ）デコーダである。
【００９３】
番組再生部１０３により再生された映像データは表示合成部１０８に与えられる。一方、音声データは図示しない音声データ変換部に与えられ、デジタル形式からアナログ形式に変換される。アナログ形式に変換された音声データは図示しない音声出力部により出力される。
【００９４】
上述のように、放送局装置２０から表示装置１００に送信される放送信号には、ＥＰＧデータが多重されている。番組情報蓄積部１０４は、放送受信部１０２から与えられるＥＰＧデータを蓄積する。また、番組情報蓄積部１０４は、制御部１０６から与えられる指令信号に応じて、蓄積したＥＰＧデータを描画部１０７に与える。
【００９５】
入力装置１０５は、使用者により操作される。本実施の形態において、入力装置１０５はリモートコントローラである。したがって、表示装置１００の本体部には、リモートコントローラから送信される信号を受信する図示しない受信部が設けられる。リモートコントローラの詳細は後述する。
【００９６】
なお、入力装置１０５としては、リモートコントローラの他、キーボード、ポインティングデバイス、音声認識装置、画像認識装置またはそれらを組み合わせたものを用いることもできる。
【００９７】
制御部１０６は、例えばＣＰＵ（中央演算処理装置）および記憶装置１０６ｍからなる。記憶装置１０６ｍには、後述の一局番組表表示プログラム、第１のフォーカス移動プログラム、第２のフォーカス移動プログラムおよびスクロールプログラムが記憶される。これにより、制御部１０６は、記憶装置１０６ｍに記憶された各プログラムに基づいて、表示装置１００の各構成部の動作を制御する。
【００９８】
また、制御部１０６は、使用者との対話を管理する。使用者との対話は、ＯＳＤ（ On Screen Display ）を用いたＧＵＩ（ Graphical User Interface ）により実現される。
【００９９】
描画部１０７は、番組情報蓄積部１０４から与えられるＥＰＧデータに基づいて、ＯＳＤ用のグラフィックのイメージを生成する。生成されたイメージは、表示合成部１０８に与えられる。
【０１００】
表示合成部１０８は、番組再生部１０３から与えられる映像データと描画部１０７から与えられるイメージとを合成し、合成した映像のデータを表示部１０９に出力する。これにより、表示部１０９に番組の映像およびＯＳＤが表示される。
【０１０１】
表示部１０９は、例えばプラズマディスプレイパネル、液晶ディスプレイパネルまたは有機エレクトロルミネッセンスパネル等で構成される。
【０１０２】
（２）入力装置
図２は、図１の入力装置１０５を示す模式図である。
【０１０３】
図２に示すように、入力装置１０５には、電源ボタンＰＷ、一局番組表ボタンＧＰ、右ボタンＡＲ、左ボタンＡＬ、上ボタンＡＵ、下ボタンＡＤおよびチャンネルボタンＣＫ等が設けられる。
【０１０４】
電源ボタンＰＷは、表示装置１００の電源をオン／オフするために、使用者により操作される。一局番組表ボタンＧＰは、図１の表示部１０９にＥＰＧデータに基づく一局番組表を表示させるために、使用者により操作される。
【０１０５】
右ボタンＡＲ、左ボタンＡＬ、上ボタンＡＵ、下ボタンＡＤは、表示部１０９に一局番組表が表示される場合に一局番組表内のフォーカスを移動させるために、使用者により操作される。フォーカスの詳細は後述する。
【０１０６】
チャンネルボタンＣＫは、複数のボタンを含む。各ボタンには、互いに異なるチャンネルが割り当てられている。使用者がいずれかのボタンを押下操作することにより、そのボタンに割り当てられたチャンネルの番組が表示部１０９に表示される。
【０１０７】
以下の説明では、必要に応じて右ボタンＡＲ、左ボタンＡＬ、上ボタンＡＵおよび下ボタンＡＤをカーソルボタンと総称する。
【０１０８】
（３）一局番組表表示例
例えば、使用者がＡテレビ局の番組を視聴している際に図２の一局番組表ボタンＧＰを押下操作する。これにより、図１の表示部１０９のテレビジョン画面ＴＪにＡテレビ局についての一局番組表が表示される。
【０１０９】
図３は、図１の表示装置１００において表示部１０９に表示される一局番組表の一表示例を示す図である。
【０１１０】
テレビジョン画面ＴＪの上部には、フォーカス番組表示欄２０２が表示されている。フォーカス番組表示欄２０２には、後述するフォーカス番組に関する詳細な情報が表示されている。
【０１１１】
フォーカス番組表示欄２０２の下部には、時刻表示欄２０３、日付表示欄２０４および番組表示欄２０５が表示されている。
【０１１２】
時刻表示欄２０３には、放送予定時刻が縦軸方向に表示される。図３の例では、時刻表示欄２０３に２０時台から２３時台までの放送予定時刻が示されている。
【０１１３】
日付表示欄２０４には、放送予定日が横軸方向に表示される。図３の例では、１０月８日、１０月９日および１０月１０日の日付が、曜日とともにこの順で横軸方向に並んでいる。
【０１１４】
本実施の形態において、番組表示欄２０５には、後述する番組枠、休止枠および未確定枠のいずれかが時刻表示欄２０３で表示される時刻に沿って表示される。この番組表示欄２０５は、いわゆるラジオ・テレビ欄である。
【０１１５】
番組枠には、Ａテレビ局で編成が確定した放送予定番組のうち時刻表示欄２０３に表示される時間内の放送予定番組が対応付けられる。休止枠には、Ａテレビ局の放送休止時間が対応付けられる。未確定枠には、放送予定番組の編成が確定していない時間が対応付けられる。
【０１１６】
なお、図３では、番組枠および休止枠が矩形で示されている。また、図３では、各放送予定日の２２時３０分から２４時までの休止枠に濃いハッチングが施されている。
【０１１７】
使用者は、図２の入力装置１０５を操作することにより、一局番組表２００に表示される複数の枠のうちの一つを選択することができる。これにより、選択された枠がハイライト表示される。
【０１１８】
図３の一局番組表２００においては、Ａテレビ局の「ニュース８」という番組の番組枠ｆ１がハイライト表示されている。なお、図３の一局番組表２００においては、ハイライト表示が目の粗い斜線のハッチングにより示されている。
【０１１９】
以下の説明では、上記のように使用者により特定の枠を選択することが可能な状態をフォーカスと呼ぶ。また、フォーカスにより選択された番組枠に対応付けされた放送予定番組を、フォーカス番組と呼ぶ。
【０１２０】
これにより、図３では、１０月８日２０時に放送が予定された「ニュース８」という番組がフォーカス番組となる。それにより、上述のフォーカス番組表示欄２０２には、「ニュース８」という番組に関する詳細な情報が表示される。詳細な情報としては、当該番組のテレビ局、放送開始時刻、放送終了時刻、番組名、内容、出演者等が表示される。
【０１２１】
（４）一局番組表のスクロール動作の概念
使用者は、図２の入力装置１０５のカーソルボタンを操作することにより、フォーカスを枠毎に移動させることができる。また、使用者は、フォーカスを時間軸方向（縦軸方向）に沿って順次移動させることにより一局番組表２００を時間軸（縦軸）に沿ってスクロールさせることができる。さらに、使用者は、フォーカスを日付方向（横軸方向）に沿って順次移動させることにより一局番組表２００を日付（横軸）に沿ってスクロールさせることができる。
【０１２２】
図４は、テレビジョン画面ＴＪに表示される一局番組表２００のスクロール動作の概念を説明するための図である。
【０１２３】
本実施の形態に係る表示装置１００においては、表示部１０９に表示するための一局番組表２００が、概念上図４に示すように生成される。図４では、Ａテレビ局の１０月８日から１０月１１日までの一局番組表ＡＴが螺旋状に延びる帯により示されている。この一局番組表ＡＴにおいては、帯が周方向に一周するごとに放送予定日が進行する。各放送予定日に対応する帯の部分では、周方向に０時から２４時までの放送予定時刻が対応付けられている。
【０１２４】
このように、図４では、一局番組表ＡＴが、放送予定日ごとに折り返されることなく帯状に示されている。これにより、各放送予定日に対応する帯の連結部（各日付の始端と終端の連結部分）に時間的な間隙が存在しない。すなわち、各放送予定日の間で、一局番組表ＡＴに継ぎ目が存在しない。
【０１２５】
ここで、図４において、太い破線により示された領域をテレビジョン画面ＴＪの表示対象領域Ｒとする。この場合、図３の一局番組表２００が時間軸方向にスクロールされると、図４では表示対象領域Ｒが矢印ｓ１の方向（周方向）に移動するように示される。
【０１２６】
例えば、図３で示される一局番組表２００は表示対象となる時間帯が２０時台から２３時台に設定され、放送予定日が１０月８日から１０月１０日に設定されている場合を想定する。
【０１２７】
この状態で、使用者が図１の入力装置１０５を操作することにより、一局番組表２００の表示範囲が時間軸方向（縦軸方向）にスクロールされると、図４では表示対象領域Ｒが周方向に移動するように示される。
【０１２８】
この場合、図４に示すように、各放送予定日に対応する部分の連結部には時間的な間隙が存在しないので、表示対象領域Ｒは周方向に沿って円滑に移動してゆく。したがって、図３のテレビジョン画面ＴＪにおいては、一局番組表２００が円滑にスクロールされる。
【０１２９】
すなわち、図３の一局番組表２００の時間軸方向へのスクロール時には、日付をまたぐようなスクロールが行われる場合でも、一局番組表２００に表示される情報の内容が全面的に大きく変化することが防止される。
【０１３０】
なお、使用者が図１の入力装置１０５を操作することにより、一局番組表２００の表示範囲が日付方向（横軸方向）にスクロールされると、図４では表示対象領域Ｒが横軸方向に移動するように示される。この場合、一局番組表２００に表示される情報の内容が一日分変化する。それにより、使用者は、スクロールにより新たに表示された一局番組表２００を確認することができる。
【０１３１】
上記のように、本実施の形態に係る表示装置１００においては、一局番組表２００が日付をまたいで時間軸方向にスクロールされても、放送予定日の切り替わりに伴って一局番組表２００の表示内容が全面的に切り替わることが防止される。したがって、使用者は、ストレスを感じることなく一局番組表２００の表示範囲を縦軸方向にスクロールさせることができる。
【０１３２】
（５）第１のフォーカス移動例
フォーカス移動時における一局番組表２００の表示状態について、第１のフォーカス移動例を図３、図５および図６を参照しつつ説明する。図５および図６は、第１のフォーカス移動例を説明するための図である。
【０１３３】
例えば、図３の一局番組表２００で示すように、１０月８日の「ニュース８」という番組の番組枠ｆ１にフォーカスが位置する状態で、使用者が図２の下ボタンＡＤを押下操作した場合を想定する。
【０１３４】
この場合、図５に示すように、１０月８日の「ニュース８」という番組の番組枠ｆ１が、ハイライトの表示状態から通常の表示状態に変化する。そして、当該番組枠ｆ１の下側に位置する「真実は見えるか」という番組の番組枠ｆ２がハイライト表示される。
【０１３５】
すなわち、使用者により下ボタンＡＤが押下操作されることにより、フォーカスが番組枠ｆ１から番組枠ｆ１よりも将来側に表示された番組枠ｆ２へ移動する。これにより、フォーカス番組表示欄２０２には、「真実は見えるか」という番組に関する詳細な情報が表示される。
【０１３６】
本例では、フォーカス番組表示欄２０２に、「真実は見えるか」を放送するＡテレビ局、放送開始時刻「１０月８日２１時３０分」、放送終了時刻「１０月８日２２時３０分」、番組名である「真実は見えるか」が表示されている。
【０１３７】
ここで、番組枠ｆ２に対応付けられた「真実は見えるか」という番組は、毎日同じ時刻で放送が予定されたシリーズ番組である。そのため、１０月９日および１０月１０日の番組表示欄２０５においても、「真実は見えるか」という番組の番組枠ｆ３，ｆ４が表示されている。
【０１３８】
なお、本実施の形態において、シリーズ番組とは、上記のように所定の周期で同じ時刻に放送が予定された番組の他、共通のタイトル名を有する番組等の共通の情報が割り当てられた番組をいう。
【０１３９】
本例では、フォーカスが移動することにより１０月８日の番組枠ｆ２がハイライト表示されるとともに、１０月９日および１０月１０日の番組枠ｆ３，ｆ４もハイライト表示される。
【０１４０】
これにより、使用者は、現在フォーカスが位置する番組枠ｆ２の放送予定番組がシリーズ番組であることを容易に認識できる。また、他の日に放送されるシリーズ番組の番組枠ｆ３，ｆ４がハイライト表示されるので、フォーカスが位置する番組枠ｆ２のシリーズ番組が、何日に放送されるかを容易に認識することができる。
【０１４１】
このように、所定の関係を有する放送予定番組の番組枠として、複数の番組枠ｆ２，ｆ３，ｆ４がハイライト表示される状態をグループフォーカスと呼ぶ。
【０１４２】
なお、図５の太い破線で示すように、グループフォーカスによりハイライト表示される番組枠ｆ２，ｆ３，ｆ４が互いに隣接する場合、それらの番組枠ｆ２，ｆ３，ｆ４を取り囲むような線が表示されてもよい。
【０１４３】
本実施の形態においては、グループフォーカスにより特定された複数の番組枠のうち、使用者により選択されたフォーカス番組とフォーカス番組以外のシリーズ番組とを容易に識別できるように、以下の表示方法を用いることもできる。
【０１４４】
以下の説明では、グループフォーカスにより特定された複数の番組枠のうち、使用者によりフォーカスが移動された箇所の番組枠（フォーカス番組の番組枠）ｆ２を主フォーカス番組枠ｆ２と呼び、フォーカス番組以外のシリーズ番組の番組枠ｆ３，ｆ４を従属フォーカス番組枠と呼ぶ。
【０１４５】
グループフォーカスにおいては、主フォーカス番組枠ｆ２と従属フォーカス番組枠ｆ３，ｆ４との間で発光輝度に差を設けてもよい。
【０１４６】
図５では、主フォーカス番組枠ｆ２が高い輝度でハイライト表示されていることを示すために、主フォーカス番組枠ｆ２に目の粗い斜線のハッチングが施されている。一方、従属フォーカス番組枠ｆ３，ｆ４が低い輝度でハイライト表示されていることを示すために、従属フォーカス番組枠ｆ３，ｆ４に薄いハッチングが施されている。これにより、使用者は、フォーカス番組とフォーカス番組以外のシリーズ番組とを容易かつ確実に識別することができる。
【０１４７】
本例では、クループフォーカスをハイライト表示で示す例を説明したが、ハイライト表示に代えて、主フォーカス番組枠ｆ２および従属フォーカス番組枠ｆ３，ｆ４に、それぞれ彩度が異なる背景色を設定してもよい。
【０１４８】
また、主フォーカス番組枠ｆ２に表示される文字列のフォント色と従属フォーカス番組枠ｆ３，ｆ４に表示される文字列のフォント色とに差を設けてもよい。さらに、主フォーカス番組枠ｆ２および従属フォーカス番組枠ｆ３，ｆ４のいずれか一方の発光輝度を経時的に変化させてもよい。
【０１４９】
続いて、図６の一局番組表２００で示すように、「真実は見えるか」という番組の番組枠ｆ２にフォーカスが位置する状態で、さらに使用者が図２の下ボタンＡＤを連続して押下操作した場合を想定する。
【０１５０】
図５の一局番組表２００においては、フォーカスが位置する番組枠ｆ２の下側に休止枠が表示されている。これにより、フォーカスは、休止枠に移動する。それにより、フォーカスが番組表示欄２０５の下端に位置する。
【０１５１】
そのため、使用者により再度下ボタンＡＤが押下操作されることにより、図６に示すように、一局番組表２００が将来側に所定時間分スクロールされる。
【０１５２】
本例では、一局番組表２００が将来側に１時間分スクロールされる。これにより、時刻表示欄２０３には２１時台から０時（２４時）台までの放送予定時刻が示される。
【０１５３】
上記のように一局番組表２００が将来側に１時間スクロールされると、「おっさん刑事」という番組が、時刻表示欄２０３に表示される時間内の放送予定番組となる。
【０１５４】
これにより、図６に示すように、一局番組表２００においては、「おっさん刑事」という番組の番組枠ｆ５にフォーカスが移動する。
【０１５５】
上記のように、使用者は、図２の入力装置１０５のカーソルボタンを押下操作することにより、一局番組表２００をスクロールし、所望の番組枠にフォーカスを移動させることができる。
【０１５６】
そして、一局番組表において本来日付ごとに折り返しが行われるべき時間をまたぐようにスクロールが行われる場合でも、テレビジョン画面ＴＪに表示される一局番組表２００の表示内容が全面的に切り替わることが防止される。それにより、使用者は、ストレスを感じることなく一局番組表２００を閲覧することができる。また、スクロール時に一局番組表２００の描画時間が長時間化することが防止される。
【０１５７】
上記では、フォーカスを時間軸方向（縦軸方向）に移動させる場合の例を説明したが、使用者は、図２の右ボタンＡＲおよび左ボタンＡＬを押下操作することによりフォーカスを日付方向（横軸方向）に移動させることもできる。
【０１５８】
この場合、テレビジョン画面ＴＪ上では、１日分の番組表示欄２０５の内容が変化する。したがって、一局番組表２００の表示内容が全面的に切り替わることがないので、使用者はストレスを感じることなく一局番組表２００を閲覧することができる。
【０１５９】
上記のフォーカス移動は、図１の制御部１０６が後述する第１のフォーカス移動プログラムを実行することにより行われる。
【０１６０】
（６）第２のフォーカス移動例
フォーカス移動時における一局番組表２００の表示状態について、第２のフォーカス移動例を図７および図８を参照しつつ説明する。図７および図８は、第２のフォーカス移動例を説明するための図である。
【０１６１】
本例においては、ＥＰＧデータに１０月１日から１０月１５日までの１５日分の放送予定番組の情報が含まれるものとする。この場合、図１の表示部１０９には、１０月１５日２４時までの一局番組表２００が表示可能である。
【０１６２】
図７においては、テレビジョン画面ＴＪに１０月１４日および１０月１５日の放送予定番組を示す一局番組表２００が表示されている。
【０１６３】
本実施の形態に係る表示装置１００においては、テレビジョン画面ＴＪに３日分の番組表示欄２０５が表示可能である。したがって、図７の例では、１つの番組表示欄２０５に放送予定番組に関する情報が表示されていない。
【０１６４】
図７に示すように、例えばフォーカスが１０月１５日の最後の放送予定番組の番組枠ｆ６に位置する場合、使用者が図２の下ボタンＡＤをさらに押下操作しても１０月１６日の番組編成情報が存在しないので、フォーカスを移動させるべきではないと考えられる。
【０１６５】
番組編成情報が存在しない時間帯に、フォーカスを移動させても使用者は有益な情報を得ることができず、番組編成情報が存在する時間帯にフォーカスを戻す手間が生じるためである。
【０１６６】
しかしながら、本例では、フォーカスが番組枠ｆ６に位置するときに、使用者が図２の下ボタンＡＤを押下操作することにより、図８に示すように一局番組表２００が将来側に１時間分スクロールされる。
【０１６７】
これにより、一局番組表２００の表示対象となる時間帯が０時から３時に変更され、日付表示欄２０４の表示も変更される。それにより、３つの番組表示欄２０５のうち中央の番組表示欄２０５では、放送予定番組に関する情報が表示されなくなる。そして、図７において中央の番組表示欄２０５の番組枠ｆ６に位置していたフォーカスが、スクロール後に左側の番組表示欄２０５に表示された番組枠ｆ７に移動する。
【０１６８】
このように、本例では、使用者が図２の下ボタンＡＤを押下操作したにもかかわらず、フォーカスが斜め下方に表示された番組枠に移動する。このようなフォーカスの移動は使用者の意図に反すると考えられる。
【０１６９】
しかしながら、使用者は、必ずしもフォーカスの移動のみを目的として図２の下ボタンＡＤを押下操作するわけではない。使用者は一局番組表２００をスクロールさせるために、フォーカスを移動させる場合がある。
【０１７０】
そのため、フォーカスが最終の番組枠ｆ６に位置するときに下ボタンＡＤの押下操作が無効にされると、使用者は、下ボタンＡＤを押下操作しているにもかかわらずスクロールが行われないので、違和感を感じる場合がある。
【０１７１】
そこで、本例では、使用者が感じる違和感を解消するために上記のようなフォーカス移動が行われる。このフォーカス移動は、図１の制御部１０６が後述する第２のフォーカス移動プログラムを実行することにより行われる。
【０１７２】
（７）一局番組表のスクロール例
一局番組表２００のスクロール例について、図９および図１０を参照しつつ説明する。図９および図１０は、一局番組表２００の横軸方向へのスクロール動作の一例を説明するための図である。
【０１７３】
本例においても、第２のフォーカス移動例と同様に、ＥＰＧデータに１０月１日から１０月１５日までの１５日分の放送予定番組の情報が含まれるものとする。この場合、図１の表示部１０９には、１０月１５日２４時までの一局番組表２００が表示可能である。
【０１７４】
上述のように、使用者は、図２の下ボタンＡＤを押下操作することにより一局番組表２００を時間軸方向（縦軸方向）にスクロールさせることができる。
【０１７５】
一局番組表２００は、時間軸方向に２４時間分のスクロールが行われるごとに、日付方向（横軸方向）にスクロールされる。これにより、例えば使用者が図２の下ボタンＡＤを押下操作することにより、図９に示すように、３つの番組表示欄２０５のうち１つの番組表示欄２０５で放送予定番組に関する情報が表示されない場合がある。以下の説明では、全く情報が表示されない番組表示欄２０５を空き番組表示欄２０５と呼ぶ。
【０１７６】
空き番組表示欄２０５においては、その空き番組表示欄２０５に対応する日付の番組編成情報がないので、番組枠のみならず、休止枠および未確定枠も表示されない。
【０１７７】
本例では、使用者による下ボタンＡＤの押下操作により、空き番組表示欄２０５が発生した場合、発生した空き番組表示欄２０５がなくなるように一局番組表２００が日付方向にスクロールされる。
【０１７８】
例えば、図９の番組枠ｆ８にフォーカスが移動することにより、空き番組表示欄２０５が発生すると、図１０に示すように一局番組表２００が１日分日付方向にスクロールされる。これにより、テレビジョン画面ＴＪにおいては、無駄な表示領域の消費が防止される。
【０１７９】
上記のスクロールは、図１の制御部１０６が後述するスクロールプログラムを実行することにより行われる。
【０１８０】
（８）一局番組表表示プログラム
図１の表示装置１００が一局番組表２００を表示するための一局番組表表示プログラムについて説明する。図１１は、一局番組表表示プログラムのフローチャートである。上述のように、本プログラムは、図１の記憶装置１０６ｍに記憶される。
【０１８１】
初めに、図１の制御部１０６は、使用者による入力装置１０５の操作により、外部から一局番組表２００を表示させる旨の指令を受けたか否かを判別する（ステップＳ１１０）。
【０１８２】
制御部１０６は、指令を受けることにより、現在選局されているチャンネルを認識するとともに内蔵された計時手段を用いて現在時刻を取得し、表示対象となるテレビ局および表示対象となる時間帯を決定する（ステップＳ１１１）。そして、制御部１０６は、表示対象となるテレビ局について、表示対象となる時間帯の放送予定番組の情報を時刻順にＥＰＧデータから抽出する（ステップＳ１１２）。
【０１８３】
次に、制御部１０６は、抽出した放送予定番組の番組枠をテレビジョン画面ＴＪに描画する（ステップＳ１１３）。
【０１８４】
続いて、制御部１０６は、表示対象となる時間帯の全ての放送予定番組が抽出されたか否かを判別する（ステップＳ１１４）。
【０１８５】
表示対象となる全ての放送予定番組が抽出されることにより、制御部１０６は一局番組表２００の表示動作を終了する。一方、表示対象となる全ての放送予定番組が抽出されていない場合、制御部１０６は上記ステップＳ１１２の動作を行う。
【０１８６】
なお、上記では説明を省略したが、放送予定番組が存在しない時間帯および放送予定番組の編成が確定していない時間帯については、番組表示欄２０５に休止枠および未確定枠が描画される。
【０１８７】
（９）第１のフォーカス移動プログラム
第１のフォーカス移動プログラムについて説明する。図１２は、第１のフォーカス移動プログラムを示すフローチャートである。上述のように、本プログラムは、図１の記憶装置１０６ｍに記憶される。本例では、移動前のフォーカスは番組枠に位置するものとする。
【０１８８】
初めに、図１の制御部１０６は、使用者による入力装置１０５の操作により、外部からフォーカスを移動させる旨の指令を受けたか否かを判別する（ステップＳ１２０）。
【０１８９】
フォーカスの移動が指令された場合、制御部１０６は、フォーカスの進行方向において、現在フォーカスが位置する番組枠の時刻の直前または直後に放送休止時間または番組編成が未確定である時間が存在するか否かを判別する（ステップＳ１２１）。
【０１９０】
放送休止時間または編成が未確定である時間が存在する場合、制御部１０６は、現在フォーカスが位置する番組枠の直前または直後に存在する休止枠または未確定枠にフォーカスを移動させる（ステップＳ１２２）。これにより、フォーカスの移動が終了する。
【０１９１】
なお、休止枠または未確定枠にフォーカスが移動した場合には、フォーカスが通常の番組枠に位置する場合と同様に、フォーカスが位置する休止枠または未確定枠をハイライト表示してもよい。また、休止枠または未確定枠をハイライト表示する代わりに、フォーカスが休止枠または未確定枠に位置することを示す絵柄を一局番組表２００の一部に表示してもよい。
【０１９２】
放送休止時間または番組編成が未確定である時間が存在しない場合、制御部１０６は、フォーカスの進行方向において、現在のフォーカス番組の時刻に最も近い時刻で放送が予定されかつ一局番組表２００に番組枠が表示されている放送予定番組を検索する（ステップＳ１２３）。そして、制御部１０６は、該当する放送予定番組が存在するか否かを判別する（ステップＳ１２４）。
【０１９３】
放送予定番組が存在する場合、制御部１０６は、フォーカスをその放送予定番組の番組枠に移動させる（ステップＳ１２５）。これにより、フォーカスの移動が終了する。
【０１９４】
放送予定番組が存在しない場合、制御部１０６は、一局番組表２００のスクロールが既に行われたか否かを判別する（ステップＳ１２６）。
【０１９５】
スクロールが既に行われている場合、制御部１０６はフォーカスを移動させることなく、動作を終了する。
【０１９６】
スクロールが行われていない場合、制御部１０６は、新たに表示対象となる時間帯を決定し、放送予定番組の情報をＥＰＧデータから抽出する。そして、制御部１０６は、抽出した情報に基づいてフォーカスの進行方向に一局番組表２００を所定時間分スクロールさせる（ステップＳ１２７）。その後、制御部１０６は、上記ステップＳ１２１の動作を行う。
【０１９７】
（１０）第２のフォーカス移動プログラム
第２のフォーカス移動プログラムについて説明する。図１３は、第２のフォーカス移動プログラムを示すフローチャートである。上述のように、本プログラムは、図１の記憶装置１０６ｍに記憶される。本例では、移動前のフォーカスは番組枠に位置するものとする。
【０１９８】
初めに、図１の制御部１０６は、使用者による図２の下ボタンＡＤの押下操作により、外部から信号を受けたか否かを判別し、下ボタンＡＤの押下操作を検出する（ステップＳ１３１）。
【０１９９】
制御部１０６は、下ボタンＡＤの押下操作を検出することにより、上述の第１のフォーカス移動プログラムに基づいて時間軸の進行方向にフォーカスを移動させる（ステップＳ１３２）。
【０２００】
そして、制御部１０６は、フォーカスがＥＰＧデータに基づいて表示可能な最終の番組枠、すなわち最も将来の放送予定番組の番組枠を超えて移動するか否かを判別する（ステップＳ１３３）。
【０２０１】
フォーカスが上記の最終の番組枠を超えて移動する場合、制御部１０６は、フォーカスを隣接する番組表示欄２０５に表示された枠へ移動させる（ステップＳ１３４）。これにより、フォーカスの移動が終了する。
【０２０２】
一方、フォーカスが上記の最終の番組枠を超えて移動しない場合、制御部１０６は、フォーカスの移動を終了する。
【０２０３】
なお、上記ステップＳ１３４において、フォーカスの移動先となる枠は、移動元である番組枠の放送終了時刻以降でかつ放送終了時刻に最も近い時刻に対応付けられた番組枠、休止枠または未確定枠のいずれかである。
【０２０４】
（１１）スクロールプログラム
スクロールプログラムについて説明する。図１４は、スクロールプログラムを示すフローチャートである。上述のように、本プログラムは、図１の記憶装置１０６ｍに記憶される。
【０２０５】
初めに、図１の制御部１０６は、使用者による図２の下ボタンＡＤの押下操作により、外部から信号を受けたか否かを判別し、下ボタンＡＤの押下操作を検出する（ステップＳ１４１）。
【０２０６】
制御部１０６は、下ボタンＡＤの押下操作を検出することにより、上述の第１のフォーカス移動プログラムに基づいて時間軸の進行方向にフォーカスを移動させる（ステップＳ１４２）。
【０２０７】
そして、制御部１０６は、テレビジョン画面ＴＪに表示される複数の番組表示欄２０５のうち、放送予定番組に関する情報が全く表示されない番組表示欄２０５があるか否かを判別する（ステップＳ１４３）。
【０２０８】
放送予定番組に関する情報が全く表示されない番組表示欄２０５がある場合、制御部１０６は、複数の番組表示欄２０５の全てに放送予定番組に関する情報が表示されるように、一局番組表２００を日付方向（横軸方向）にスクロールする（ステップＳ１４４）。これにより、スクロールプログラムに基づく動作が終了する。
【０２０９】
一方、放送予定番組に関する情報が全く表示されない番組表示欄２０５が存在しない場合、制御部１０６は、一局番組表２００の日付方向（横軸方向）へのスクロールを行うことなくフォーカスの移動を終了する。
【０２１０】
本例において、図２の入力装置１０５は、下ボタンＡＤが押下された状態が所定時間継続された場合に、下ボタンＡＤが押下されたことを示す信号を連続して制御部１０６に与えてもよい。
【０２１１】
この場合、例えば使用者が下ボタンＡＤを押下した状態を持続することにより、制御部１０６は、一局番組表２００を連続してスクロールさせてもよい（キーリピート機能）。
【０２１２】
また、制御部１０６は、上記のようにキーリピートが行われている間は、上記ステップＳ１４１，Ｓ１４２の動作を繰り返し、キーリピートが終了することにより、ステップＳ１４３の動作を行ってもよい。
【０２１３】
上記のほか、制御部１０６はステップＳ１４２の動作に続いて、図２の入力装置１０５のカーソルボタンが所定時間操作されたか否かを判別し、所定時間経過した場合に、ステップＳ１４３の動作を行ってもよい。
【０２１４】
本スクロールプログラムにおいて、ステップＳ１４４の処理により一局番組表２００が日付方向にスクロールされる場合、スクロール時の表示形態を使用者が入力装置１０５を操作することによるスクロール時の表示形態と識別可能にしてもよい。
【０２１５】
例えば、使用者が入力装置１０５を操作することにより一局番組表２００を日付方向にスクロールさせる際に、一局番組表２００が番組表示欄２０５の列単位で再描画される場合を想定する。この場合、制御部１０６は、上記スクロールプログラムにより一局番組表２００が日付方向にスクロールされる際に、例えば一局番組表２００を画素単位で日付方向に移動させる。
【０２１６】
これにより、使用者は、自己の意図に基づく一局番組表２００のスクロールと、表示装置１００において自動的に行われる一局番組表２００のスクロールとを容易に識別できる。
【０２１７】
また、上記のように、一局番組表２００が画素単位でスクロールされると、一局番組表２００の表示状態が滑らかに変化する。これにより、使用者がフォーカス位置を見失うことが防止される。
【０２１８】
（１２）グループフォーカスの対象
本実施の形態においては、所定の関係を有する放送予定番組の番組枠としてシリーズ番組の番組枠がグループフォーカスの対象となることを説明したが、グループフォーカスの対象となる番組枠は、以下の条件により設定されてもよい。
【０２１９】
例えば、同じジャンルの放送予定番組、同じ出演者が出演する放送予定番組、および使用者の嗜好に適合する放送予定番組の番組枠をグループフォーカスの対象としてもよい。
【０２２０】
なお、使用者の嗜好に適合する放送予定番組は、例えば表示装置１００の制御部１０６が、使用者の視聴状態を監視することにより視聴者の嗜好のジャンルを識別し、識別されたジャンルの放送予定番組の番組枠をグループフォーカスの対象としてもよいし、視聴者が視聴する番組のうち視聴頻度が高い上位のシリーズ番組（例えば、上位３つの番組等）の放送予定番組の番組枠をグループフォーカスの対象としてもよい。
【０２２１】
図１の制御部１０６は、ＥＰＧデータに含まれる番組名、放送時間、またはジャンル等の情報に基づいてグループフォーカスの対象となる番組枠を判定してもよい。
【０２２２】
また、制御部１０６は、使用者により予め設定された放送予定時刻、日付または曜日に基づいてグループフォーカスの対象となる番組枠を判定してもよい。
【０２２３】
グループフォーカスの対象となる番組枠の判定は、放送局装置２０から送信されるＥＰＧデータのみならず、放送局装置２０以外の機器から例えばインターネットを通して送信される情報に基づいて行われてもよい。
【０２２４】
（１３）効果
本実施の形態に係る表示装置１００においては、使用者による入力装置１０５の操作に基づいて一局番組表２００が時間軸方向に沿ってスクロールされる。
【０２２５】
そして、使用者による入力装置１０５の操作時においては、テレビジョン画面ＴＪ上に表示される複数の番組表示欄２０５の領域が各日付の番組表示欄２０５の終了部分と次の日付の番組表示欄２０５の開始部分とを含む場合に、各日付の番組表示欄２０５の終了部分と次の日付の番組表示欄２０５の開始部分とが同じ番組表示欄２０５に連続して表示される。
【０２２６】
これにより、テレビジョン画面ＴＪ上に表示される複数の番組表示欄２０５の領域が日付をまたいで移動される場合でも、各日付の番組表示欄２０５の終了部分と次の日付の番組表示欄２０５の開始部分とが切り替わるようにテレビジョン画面ＴＪ上に表示されることが防止される。
【０２２７】
それにより、テレビジョン画面ＴＪ上に表示される複数の番組表示欄２０５の内容の全てが変更されないので、一局番組表２００の表示時間が短縮される。また、使用者はテレビジョン画面ＴＪ上に表示される複数の番組表示欄２０５の内容の全てを再認識する必要がない。したがって、使用者は、ストレスを感じることなく一局番組表２００をスクロールさせることができる。その結果、使用者は、ストレスを感じることなく、一局番組表２００を確認することができる。
【０２２８】
（１４）他の実施の形態
上記実施の形態では、制御部１０６がＣＰＵならびに一局番組表表示プログラム、第１のフォーカス移動プログラム、第２のフォーカス移動プログラムおよびスクロールプログラムにより実現されるが、これに限定されず、制御部１０６が電子回路等のハードウェアにより実現されてもよい。
【０２２９】
また、描画部１０７はＣＰＵおよびプログラムにより実現されてもよく、電子回路等のハードウェアにより実現されてもよい。
【０２３０】
同様に、表示合成部１０８はＣＰＵおよびプログラムにより実現されてもよく、電子回路等のハードウェアにより実現されてもよい。
【０２３１】
（１５）請求項の各構成要素と実施の形態の各部との対応
以下、請求項の各構成要素と実施の形態の各部との対応の例について説明するが、本発明は下記の例に限定されない。
【０２３２】
上記実施の形態では、放送受信部１０２が受信部の例であり、図１の番組情報蓄積部１０４、入力装置１０５、描画部１０７および表示合成部１０８が番組表生成部の例であり、入力装置１０５が操作装置の例であり、図１の制御部１０６が処理装置の例である。
【０２３３】
また、時刻表示欄２０３により示される縦軸が時間軸の例であり、日付表示欄２０４により示される横軸が日付軸の例であり、図５の主フォーカス番組枠ｆ２のハイライト表示が第１の表示形態の例であり、図５の従属フォーカス番組枠ｆ３，ｆ４のハイライト表示が第２の表示形態の例である。
【０２３４】
さらに、未確定枠が未確定の期間を示す空き枠の例であり、休止枠が番組休止期間を示す空き枠の例であり、第１のフォーカス移動プログラムおよび一局番組表表示プログラムが表示プログラムの例である。
【０２３５】
請求項の各構成要素として、請求項に記載されている構成または機能を有する他の種々の要素を用いることもできる。
【産業上の利用可能性】
【０２３６】
本発明は、複数の日の番組情報をラジオ・テレビ欄の形式で表示する際に有効に利用可能である。また、時間軸を持つ情報であれば、番組情報以外の一般情報にも利用可能である。例えば、交通機関の時刻表を表示する際にも有効に利用可能である。
【手続補正２】
【補正対象書類名】特許請求の範囲
【補正対象項目名】全文
【補正方法】変更
【補正の内容】
【特許請求の範囲】
【請求項１】
放送信号を受信し、受信した放送信号から番組編成情報を抽出する受信部と、
前記受信部により抽出された番組編成情報に基づいて番組表を生成する番組表生成部と、
前記番組表生成部により生成された番組表の少なくとも一部の領域を画面上に表示する表示部と、
前記画面上に表示される番組表の領域を移動させるために使用者により操作される操作装置と、
前記番組表生成部により生成される番組表の少なくとも一部の領域を前記表示部に表示させるために前記番組表生成部を制御する制御部とを備え、
前記番組表は、番組の放送予定時刻を表す時間軸と、番組の放送予定日を表すために前記時間軸に交差するように設けられた日付軸と、前記日付軸における日付ごとに前記時間軸に沿って延びるように設けられた複数の番組表示欄とを含み、前記複数の番組表示欄のいずれかに表示されかつ番組に関する情報を示す少なくとも１つの番組枠を有し、
前記制御部は、前記操作装置の操作に基づいて、画面上に表示される前記複数の番組表示欄の領域が前記時間軸に沿ってそれぞれ移動されるとともに、画面上に表示される前記複数の番組表示欄の領域が各日付の番組表示欄の終了部分と次の日付の番組表示欄の開始部分とを含む場合に各日付の番組表示欄の終了部分と次の日付の番組表示欄の開始部分とが同じ番組表示欄に連続して表示されるように前記番組表生成部を制御する、表示装置。
【請求項２】
前記操作装置は、さらに、１つの番組枠を選択するために使用者により操作され、
前記制御部は、前記操作装置の操作に基づいて選択された番組枠が第１の番組枠として第１の表示形態で表示されるとともに、前記第１の番組枠と予め定められた関係を有する他の番組枠が存在する場合に、前記第１の番組枠と予め定められた関係を有する他の番組枠が第２の番組枠として第２の表示形態で表示されるように前記番組表生成部を制御し、
前記第１および第２の表示形態は、前記第１および第２の番組枠以外の領域の表示形態と異なるように設定される、請求項１記載の表示装置。
【請求項３】
前記予め定められた関係は、前記第２の番組枠の番組が前記第１の番組枠の番組と共通のタイトル名を有するシリーズ番組であることである、請求項２記載の表示装置。
【請求項４】
前記予め定められた関係は、前記第２の番組枠の番組が前記第１の番組枠の番組と共通のジャンルに含まれることである、請求項２記載の表示装置。
【請求項５】
前記番組表は、各番組表示欄内で前記番組枠が存在しない領域に放送予定番組が未確定の期間または番組休止期間を示す空き枠を有し、
前記操作装置は、さらに、１つの番組枠または１つの空き枠を選択するために使用者により操作され、
前記制御部は、少なくとも１つの番組枠を含む最終の日付の番組表示欄の最終の番組枠が選択された状態で、使用者により前記操作装置を用いて後続する空き枠を選択する操作が行われた場合に、直前の日付の番組表示欄の番組枠または空き枠のうち前記最終の番組枠よりも後の時点で開始する番組枠または空き枠が選択されるように、前記番組表生成部を制御する、請求項１記載の表示装置。
【請求項６】
前記番組表は、各番組表示欄内で前記番組枠が存在しない領域に放送予定番組が未確定の期間または番組休止期間を示す空き枠を有し、
前記操作装置は、さらに、１つの番組枠または１つの空き枠を選択枠として選択するために使用者により操作され、
前記制御部は、少なくとも１つの番組枠または空き枠を含む最終の日付の番組表示欄の最終の選択枠が選択された場合に、画面上で番組表を前記日付軸に沿って移動させることにより画面上に番組枠および空き枠を有しない番組表示欄の領域が表示されないように前記番組表生成部を制御する、請求項１記載の表示装置。
【請求項７】
表示部に番組表を表示する表示方法であって、
放送信号を受信し、受信した放送信号から番組編成情報を抽出するステップと、
抽出された番組編成情報に基づいて番組表を生成するステップと、
生成された番組表の少なくとも一部の領域を画面上に表示するステップと、
使用者による操作装置の操作により、前記画面上に表示される番組表の領域を移動させるステップとを備え、
前記番組表は、番組の放送予定時刻を表す時間軸と、番組の放送予定日を表すために前記時間軸に交差するように設けられた日付軸と、前記日付軸における日付ごとに前記時間軸に沿って延びるように設けられた複数の番組表示欄とを含み、前記複数の番組表示欄のいずれかに表示されかつ番組に関する情報を示す少なくとも１つの番組枠を有し、
前記番組表を生成するステップは、
前記操作装置の操作に基づいて、画面上に表示される前記複数の番組表示欄の領域を前記時間軸に沿ってそれぞれ移動させるとともに、画面上に表示される前記複数の番組表示欄の領域が各日付の番組表示欄の終了部分と次の日付の番組表示欄の開始部分とを含む場合に各日付の番組表示欄の終了部分と次の日付の番組表示欄の開始部分とを同じ番組表示欄に連続して表示させるステップを含む、表示方法。
【請求項８】
表示部に番組表を表示するために処理装置により実行可能な表示プログラムであって、
放送信号を受信し、受信した放送信号から番組編成情報を抽出する処理と、
抽出された番組編成情報に基づいて番組表を生成する処理と、
生成された番組表の少なくとも一部の領域を画面上に表示する処理と、
使用者による操作装置の操作により、前記画面上に表示される番組表の領域を移動させる処理とを備え、
前記番組表は、番組の放送予定時刻を表す時間軸と、番組の放送予定日を表すために前記時間軸に交差するように設けられた日付軸と、前記日付軸における日付ごとに前記時間軸に沿って延びるように設けられた複数の番組表示欄とを含み、前記複数の番組表示欄のいずれかに表示されかつ番組に関する情報を示す少なくとも１つの番組枠を有し、
前記番組表を生成する処理は、
前記操作装置の操作に基づいて、画面上に表示される前記複数の番組表示欄の領域を前記時間軸に沿ってそれぞれ移動させるとともに、画面上に表示される前記複数の番組表示欄の領域が各日付の番組表示欄の終了部分と次の日付の番組表示欄の開始部分とを含む場合に各日付の番組表示欄の終了部分と次の日付の番組表示欄の開始部分とを同じ番組表示欄に連続して表示させる処理を前記処理装置に実行させる、表示プログラム。
【手続補正３】
【補正対象書類名】図面
【補正対象項目名】全図
【補正方法】変更
【補正の内容】
【図１】
2009037830.tif 000020
【図２】
2009037830.tif 000021
【図３】
2009037830.tif 000022
【図４】
2009037830.tif 000023
【図５】
2009037830.tif 000024
【図６】
2009037830.tif 000025
【図７】
2009037830.tif 000026
【図８】
2009037830.tif 000027
【図９】
2009037830.tif 000028
【図１０】
2009037830.tif 000029
【図１１】
2009037830.tif 000030
【図１２】
2009037830.tif 000031
【図１３】
2009037830.tif 000032
【図１４】
2009037830.tif 000033
【図１５】
2009037830.tif 000034
【図１６】
2009037830.tif 000035
【図１７】
2009037830.tif 000036
【国際調査報告】
2009037830.tif 000037
2009037830.tif 000038
2009037830.tif 000039
2009037830.tif 000040